(57)【特許請求の範囲】
【請求項１】
少なくとも光学素子の駆動を司る複数の機能の初期設定値が蓄積され且つ前記初期設定値が書き換え不可能な初期設定データと、前記初期設定データから引き出された複数の機能の初期設定値を基に書き換えられたユーザー設定値が蓄積され且つ書き換え可能な複数のユーザー設定データと、を有し、前記複数のユーザー設定データのうち、第１のユーザー設定データに蓄積されたユーザー設定値が第２のユーザー設定データのユーザー設定値に移行可能であることを特徴とする光学装置。
【請求項２】
請求項１に記載の光学装置のユーザー設定データに蓄積されたユーザー設定値が、別の光学装置のユーザー設定データのユーザー設定値に移行可能であることを特徴とする請求項１に記載の光学装置。
【請求項３】
前記ユーザー設定データは前記初期設定データに初期化可能であることを特徴とする請求項１又は２に記載の光学装置。
【請求項４】
請求項１から３のいずれか１項記載の光学装置と、前記光学装置を装着したカメラ装置とを有することを特徴とする撮影装置。
【発明の詳細な説明】
【０００１】
【発明の属する技術分野】
本発明はテレビジョン撮影に用いられるレンズ装置とレンズ装置に接続されたカメラ装置を備えたテレビレンズ、等に用いられる光学装置に関する。
【０００２】
【従来の技術】
テレビジョン撮影に用いられる撮影装置は、ＴＶカメラ本体とＴＶレンズで構成され、ＴＶレンズをＴＶカメラに装着して使用する。このうちＴＶレンズはレンズ本体部とドライブユニットに大別され、レンズ本体部には撮影光学系とそれをマニュアル操作するためのマニュアルリングがある。またドライブユニットには、これらマニュアルリングを電動駆動するための、モータや制御基板、ＣＰＵが内部に格納され、外装面には電動制御を指示する各種スイッチや、操作部材が設けられている。ＴＶレンズは、以前はマニュアルによるズームやアイリス操作が撮影の大半を占めていたが、最近では電動サーボによる撮影も頻繁に行われるようになり、ドライブユニットにも様々な機能が付加されている。例えば任意のズーム位置を一度記憶すると、スイッチを押すことで記憶したズーム位置までモータ駆動するプリセット機能や、またこのプリセット機能をドライブユニット上の複数あるスイッチの中で、ユーザが自分の好きな位置のスイッチに自由に設定できる機能などがある。こうした様々な機能を設定する手段は、ドライブユニット内部にディップスイッチを設け、カメラマンが撮影状況に応じてドライブユニット外装面に設けたゴムキャップを外し、ディップスイッチを設定している。このようにして設定できるこれらの機能は、カメラマンの撮影の幅を広げ、様々な撮影状況に応じて最適なカメラワークを実現することを可能にしている。
【０００３】
【発明が解決しようとする課題】
しかしながら従来のＴＶレンズでは、レンズの機能設定部がドライブユニットの内部にあるため、機能の設定状況をひと目で見ることができず、設定状態を確認するためにゴムキャップを外さなければならないという操作の煩雑性がある。また、ドライブユニット内部に設けた小さいディップスイッチを覗き込む行為は視認性に欠け、設定状態を瞬時に理解することが難しいと同時に、指先で操作部の小さいディップスイッチの設定を切換えるという行為は操作上難点がある。特に十分な光がない環境下、ディップスイッチを確認しながら操作する行為は極めて困難なものである。また複数のカメラマンが一台の撮影機材を共有するＴＶレンズ特有の使用環境においては、前に使用したカメラマンの設定状況を容易かつ瞬時に把握できることが非常に大切であり、従来のＴＶレンズではこうした要求に応えることが困難であった。今後益々複雑化するＴＶレンズの設定状況を瞬時に把握でき、さらに操作性に優れた設定手段を併せ持つことがＴＶレンズの課題となっている。
【０００４】
本発明では、ＴＶレンズを制御する上での各種設定状況を瞬時に把握でき、さらに操作性に優れた機能の設定手段を併せ持つ、使い勝手の良いＴＶレンズを提供することを目的としている。
【０００５】
【課題を解決するための手段】
上記問題点を解決するために、本発明の光学装置では、少なくとも光学素子の駆動を司る複数の機能の初期設定値が蓄積され且つ前記初期設定値が書き換え不可能な初期設定データと、前記初期設定データから引き出された複数の機能の初期設定値を基に書き換えられたユーザー設定値が蓄積され且つ書き換え可能な複数のユーザー設定データと、を有し、前記複数のユーザー設定データのうち、第１のユーザー設定データに蓄積されたユーザー設定値が第２のユーザー設定データのユーザー設定値に移行可能であることを特徴としている。
【０００６】
【発明の実施の形態】
（実施例）
以下に本発明の実施例を図面に基づいて詳細に説明する。図３及び図４はＴＶレンズの全景を表したものである。図中３０１はレンズ本体で、内部には撮影光学系があり、外側には、フォーカス、ズーム、アイリスを手動で操作するためのマニュアルリングがある。３０２はレンズ本体３０１に着脱自在に取付けられるドライブユニットで、内部にはマニュアルリングを電動駆動するためのモータや、制御基板、ＣＰＵ等が格納されている。３０３はズームをサーボ駆動する時に操作するシーソースイッチで、図中Ｔの方向あるいはＷの方向にスイッチを押し込むと、押し込み量に応じたスピードで、ズームがテレ方向、あるいはワイド方向へ変化する。３０４はスイッチ操作に応じてカメラへ信号を送り返すリターンスイッチで、４０１は録画のトリガーとなるＶＴＲスイッチである。これら３０３シーソースイッチ、３０４リターンスイッチ、４０１ＶＴＲスイッチは、テレビ撮影に関わる最も基本的なスイッチで、ＴＶレンズの操作性を継承する観点から、ＴＶレンズの長い歴史の中でも昔から変わらずに図示した位置に配置される。
【０００７】
３０５は機能スイッチＡで、レンズを用いた撮影に関わる様々な機能の中からひとつをこの機能スイッチＡに割り当てることが可能である。例えば、プリセット機能をこのスイッチに割り当てると、カメラマンはメモリースイッチ３０６と同時に機能スイッチＡを押すことで現在のズーム位置が記憶できる。その後ズームがいかなる位置にある場合でも、この３０５機能スイッチＡを押すことで、ズームを記憶した位置に戻すことができる。また、４０２は機能スイッチＢで、レンズの撮影に関わる様々な機能の中から一つをこの機能スイッチＢにも割り当てることが可能である。例えば、スイッチを押すことでズームが往復動作する機能をこのスイッチに割り当てると、カメラマンは機能スイッチＢを押し続けるとレンズは望遠端までズーミングし、深度の浅い望遠端でフォーカス合わせをした後で機能スイッチＢから手を離すと元のズーム位置に戻すことができ、ピントの合わせのアシスト機能として利用することができる。これらの機能スイッチは、カメラマンがレンズをマニュアル操作する際に、スイッチを誤操作して突然ズームが動き出すことのないように、機能スイッチＡあるいは機能スイッチＢを押しても、機能することにないように設定することも可能である。
【０００８】
１１８はドライブユニット３０２の上面に設けた液晶による表示パネル、１１９はレンズの撮影に関わる様々な機能を設定するための機能設定スイッチである。
【０００９】
図５は機能設定スイッチ１１９を拡大して表したものである。図５に示した機能設定スイッチ１１９は図中５０２から５０５の４つの矢印キーとひとつの選択キー５０１で構成され、表示パネル１１８に表示される階層メニューに沿って、５０２から５０５の４つの矢印キーでカーソルを移動して、複数ある機能の中から一つを選択し、選択キー５０１で確定する。
【００１０】
図３の３０７は表示パネル１１８の表示をON/OFFする表示スイッチで、必要な時だけ表示パネル１１８を点灯する構成にすることで消費電力を低減している。
【００１１】
次にレンズ本体３０１の内部構成を図１に示す。
【００１２】
図１において１０１は焦点調整を行うフォーカスレンズ光学系、１０２はフォーカスレンズ光学系１０１を駆動するフォーカスモータ、１０３はフォーカスレンズ光学系１０１の位置に応じた位置信号を出力するフォーカス位置検出手段、１０４はフォーカスレンズ光学系１０１を制御するフォーカス制御手段、１０５は変倍調節を行うズームレンズ光学系、１０６はズームレンズ光学系１０５を駆動するズームモータ、１０７はズームレンズ光学系１０５の位置に応じた位置信号を出力するズーム位置検出手段、１０８はズームレンズ光学系１０５を制御するズーム制御手段、１０９は絞り調節を行うアイリス羽根、１１０はアイリス羽根１０９を駆動するアイリスモータ、１１１はアイリス羽根１０９の位置に応じた位置信号を出力するアイリス位置検出手段、１１２はアイリス羽根１０９を制御するアイリス制御手段、１１３は焦点距離を1.5倍や2.0倍などに変更するエクステンダー光学系、１１４はエクステンダー光学系１１３を駆動するエクステンダーモータ、１１５はエクステンダー光学系１１３の位置に応じた位置信号を出力するエクステンダー位置検出手段、１１６はエクステンダー光学系１１３を制御するエクステンダー制御手段、１１７は本実施例の制御部分を司るＣＰＵ、１１８はドライブユニット３０２の上面に設けた液晶による表示パネル、１１９はレンズの撮影に関わる様々な機能を設定するための機能設定スイッチ、１２０はレンズの撮影に関わる様々な機能及び特性を記憶させる記憶手段、１２１はドライブユニット３０２に取り付けられた各種スイッチ通信手段、１２２はレンズ外部とのデータ通信手段、１２３は各種デマンドとの通信手段、１２４はテレビカメラとの通信手段である。
【００１３】
図２に記憶手段１２０の内部構造を示す。記憶手段１２０を図のように２００、２０１、２０２，２０３から２０９と複数の領域に分割し、それぞれの領域に５つの機能設定領域を割り当てている。２１０はドライブユニット３０２に取り付けられた各種スイッチの機能割り当て情報記憶領域、２１１はプリセット動作特性情報記憶領域、２１２はアイリス動作特性情報記憶領域、２１３はズーム特性情報記憶領域、２１４はフォーカス特性情報記憶領域である。２１０から２１４の５つの領域は表示パネル１１８と機能設定スイッチ１１９を使用して２０１から２０９の各領域毎に個別に設定可能となっている。ここで２００の領域のみデフォルト設定情報として書き換え不可能な領域としている。
【００１４】
上記構成において、表示パネル１１８と機能設定スイッチ１１９を使用してレンズの動作特性に関わる機能の設定方法及び記憶手段１２０へ書込み、または書換えを行う場合の動作を図面をもとに詳細に説明する。
【００１５】
図６のステップＳ６０１でレンズに電源が投入されるとステップＳ６０２で図７に示す立ち上げメニュー７０１が表示パネル１１８に表示される。ステップＳ６０３では表示パネル１１８上のカーソル位置を左上端のMenu機能にセットする。ステップＳ６０４では機能設定スイッチ１１９が操作されるまで待機される。４つの矢印キー５０２から５０５または選択キー５０１のいずれかが操作されるとステップＳ６０５に移行する。
【００１６】
ステップＳ６０５では選択キー５０１が操作されたか否かの判定を行い、選択キー５０１が操作された場合はステップＳ６０６へ選択キー５０１以外が操作された場合はステップＳ６０９へそれぞれ移行する。ステップＳ６０６では現在のカーソル位置がMenu機能上か否かの判定を行い、Menu機能上の場合はステップＳ６０７へMenu機能以外の場合はステップＳ６０８へそれぞれ移行する。ステップＳ６０７では各機能毎に分割された第１階層のUserメニューへ移行する。
【００１７】
図７は各機能毎に分割された表示パネル１１８の表示フローを示す図である。図において立ち上げメニュー７０１上のMenu機能上に機能設定スイッチ１１９の４つの矢印キーを５０２から５０５を使用しカーソルを合わせ、選択キー５０１を操作することにより、まず図７の７０２に示すように第１階層User機能メニューが表示パネル１１８に表示される。次に左矢印キー５０４および右矢印キー５０５を操作することにより図７の７０３から７０９の各第１階層機能メニューを表示することができる。
【００１８】
図７の立ち上げメニュー７０１上のMenu機能以外の項目と図６のステップＳ６０８からステップＳ６１９の各動作説明は後述する。
【００１９】
図８は第１階層及び第２階層User機能メニューの操作フローであり、ステップＳ８０１では表示パネル１１８の表示を図７の７０２に示すように更新される。
【００２０】
ステップＳ８０２ではカーソル位置を第１階層Userメニューアイコン上にセットされる。
【００２１】
ステップＳ８０３では機能設定スイッチ１１９が操作されるまで待機される。４つの矢印キー５０２から５０５または選択キー５０１のいずれかが操作されるとステップＳ８０４に移行する。ステップＳ８０４では選択キー５０１が操作されたか否かの判定を行い、選択キー５０１が操作された場合はステップＳ８０５へ選択キー５０１以外が操作された場合はステップＳ８０８へそれぞれ移行する。ステップＳ８０５では現在のカーソル位置が第１階層Userメニューアイコン上か否かの判定を行い、第１階層Userメニューアイコン上の場合はステップＳ８０３へ移行し、再度、機能設定スイッチ１１９が操作されるまで待機される。第１階層Userメニューアイコン上以外の場合はステップＳ８０６へ移行する。ステップＳ８０６では現在のカーソル位置が第２階層User No.上か否かの判定を行い、第２階層User No.上の場合はステップＳ８０３へ移行し、再度、機能設定スイッチ１１９が操作されるまで待機される。第２階層User No.上以外の場合はステップＳ８０７へ移行する。ステップＳ８０７では現在のカーソル位置に応じた第３階層Userメニューへ移行する。
【００２２】
ステップＳ８０８では上矢印キー５０２が操作されたか否かの判定を行い、上矢印キー５０２が操作された場合はステップＳ８０９へ上矢印キー５０２以外が操作された場合はステップＳ８１２へそれぞれ移行する。ステップＳ８０９では現在のカーソル位置が第１階層Userメニューアイコン上か否かの判定を行い、第１階層Userメニューアイコン上の場合はステップＳ８１０へ移行し、第１階層Userメニューアイコン上以外の場合はステップＳ８１１へ移行する。
【００２３】
ステップＳ８１０では表示パネル１０７上の表示を図９に示す立ち上げメニュー表示に戻すか否かの移行確認メニューが表示される。ここで、立ち上げメニュー表示に戻る場合は選択キー５０１を操作し、そうでない場合は下矢印キー５０３を操作することにより再度、第１階層のUserメニューが表示される。
【００２４】
上記、移行確認メニューは図７の各第１階層機能メニュー７０２から７０９すべてのメニューにおいて同様な移行確認メニューが表示される。第１階層機能メニューにて誤って上矢印キー５０２を操作した場合にすぐに立ち上げメニューに移行してしまうと、例えば、７０６の第１階層Zoom機能メニューに移行するのに１回の選択キー操作と４回の矢印キー操作が必要となってしまい、操作性に問題が生じてしまう。移行確認メニューを介在させることにより、上記操作性を向上できることになる。
【００２５】
ステップＳ８１１ではカーソル位置を一行上に移動させ、ステップＳ８０３へ移行し、再度、機能設定スイッチ１１９が操作されるまで待機される。
【００２６】
ステップＳ８１２では下矢印キー５０３が操作されたか否かの判定を行い、下矢印キー５０３が操作された場合はステップＳ８１３へ下矢印キー５０３以外が操作された場合はステップＳ８１５へそれぞれ移行する。ステップＳ８１３では現在のカーソル位置が第２階層Userメニューに割り振られた機能の下端か否かの判定を行い、第２階層Userメニューに割り振られた機能の下端の場合はステップＳ８０３へ移行し、再度、機能設定スイッチ１１９が操作されるまで待機される。
【００２７】
第２階層Userメニューに割り振られた機能の下端以外の場合はステップＳ８１４へ移行する。ステップＳ８１４ではカーソル位置を一行下に移動させ、ステップＳ８０３へ移行し、再度、機能設定スイッチ１１９が操作されるまで待機される。ステップＳ８１５では左矢印キー５０４が操作されたか否かの判定を行い、左矢印キー５０４が操作された場合はステップＳ８１６へ、左矢印キー５０４以外が操作された場合はステップＳ８２２へそれぞれ移行する。ステップＳ８１６では現在のカーソル位置が第１階層Userメニューアイコン上か否かの判定を行い、第１階層Userメニューアイコン上の場合はステップＳ８１７へ移行し、第１階層Userメニューアイコン上以外の場合はステップＳ８１８へ移行する。ステップＳ８１７では各機能毎に分割された第１階層Fol.メニューへ移行する。
【００２８】
ステップＳ８１８では現在のカーソル位置が第２階層User No.上か否かの判定を行い、第２階層User No.上の場合はステップＳ８１９へ移行し、第２階層User No.上以外の場合はステップＳ８０３へ移行し、再度、機能設定スイッチ１１９が操作されるまで待機される。ステップＳ８１９では現在のUser No.が０か否かの判定を行い、User No.が０の場合はステップＳ８２０へ移行し、User No.が０以外の場合はステップＳ８２１へ移行する。ステップＳ８２０ではUser No.をレンズ内部の記憶手段に記憶できる最大値に設定し、設定された最大値のUser No.における各機能設定をレンズ内部の記憶手段から読み込みレンズの状態を初期化後、表示パネル１１８上の表示を設定されたUser No.に更新し、ステップＳ８０３へ移行し、再度、機能設定スイッチ１１９が操作されるまで待機される。ステップＳ８２１では現在のUser No.を一つマイナスシフトした値をUser No.に設定し、ステップＳ８２０同様に設定されたUser No.における各機能設定をレンズ内部の記憶手段から読み込みレンズの状態を初期化後、表示パネル１１８上の表示を設定されたUser No.に更新し、ステップＳ８０３へ移行し、再度、機能設定スイッチ１１９が操作されるまで待機される。
【００２９】
ステップＳ８２２では現在のカーソル位置が第１階層Userメニューアイコン上か否かの判定を行い、第１階層Userメニューアイコン上の場合はステップＳ８２３へ移行し、第１階層Userメニューアイコン上以外の場合はステップＳ８２４へ移行する。ステップＳ８２３では各機能毎に分割された第１階層Switchメニューへ移行する。
【００３０】
ステップＳ８２４では現在のカーソル位置がUser No.上か否かの判定を行い、User No.上の場合はステップＳ８２５へ移行し、User No.上以外の場合はステップＳ８０３へ移行し、再度、機能設定スイッチ１１９が操作されるまで待機される。
【００３１】
ステップＳ８２５では現在のUser No.がレンズ内部の記憶手段に記憶できる最大値か否かの判定を行い、User No.がレンズ内部の記憶手段に記憶できる最大値の場合はステップＳ８２６へ移行し、User No.がレンズ内部の記憶手段に記憶できる最大値以外の場合はステップＳ８２７へ移行する。ステップＳ８２６ではUser No.を０に設定し、設定されたUser No.における各機能設定をレンズ内部の記憶手段から読み込みレンズの状態を初期化後、表示パネル１１８上の表示を設定されたUser No.に更新し、ステップＳ８０３へ移行し、再度、機能設定スイッチ１１９が操作されるまで待機される。ステップＳ８２７では現在のUser No.を一つプラスシフトした値をUser No.に設定し、ステップＳ８２６同様に設定されたUser No.における各機能設定をレンズ内部の記憶手段から読み込みレンズの状態を初期化後、表示パネル１１８上の表示を設定されたUser No.に更新し、ステップＳ８０３へ移行し、再度、機能設定スイッチ１１９が操作されるまで待機される。
【００３２】
ここでUser No.設定手順について説明する。第１階層Userメニューにて下矢印キー５０３を操作することにより、図１０に示すように表示パネル１１８上の表示が更新される。カーソルがNo.上に位置し、ここで左矢印キー５０４および右矢印キー５０５を操作することにより、User No.が変更される。User No.は前述した図２の２００から２０９の各記憶領域に相当する。User No.変更することにより、記憶手段１２０から該当する領域（２００から２０９）の各機能動作記憶領域２１０から２１４の記憶情報を読み込み、読み込まれた記憶情報をもとに、ＣＰＵ１１７がレンズの各機能および動作特性を初期化する。
【００３３】
図１１は第３階層User Name設定メニューの操作フローであり、前記User No.毎に任意のNameを記憶することができる。図８のステップ８０７にてカーソル位置が第２階層User Name上と判定されるとステップ１１０１にて表示パネル１１８上に図１２および図１３に示す第３階層User Name設定メニューが表示される。ステップＳ１１０２ではカーソル位置をUser Nameの１文字目にセットされる。
【００３４】
ステップＳ１１０３では機能設定スイッチ１１９が操作されるまで待機される。４つの矢印キー５０２から５０５または選択キー５０１のいずれかが操作されるとステップＳ１１０４に移行する。ステップＳ１１０４では選択キー５０１が操作されたか否かの判定を行い、選択キー５０１が操作された場合はステップＳ１１０５へ選択キー５０１以外が操作された場合はステップＳ１１０６へそれぞれ移行する。
【００３５】
ステップＳ１１０５では設定された文字列Nameをレンズ内部の記憶手段１２０に記憶させ、第２階層のUserメニューへ戻る。ステップＳ１１０６では上矢印キー５０２が操作されたか否かの判定を行い、上矢印キー５０２が操作された場合はステップ１１０７へ上矢印キー５０２以外が操作された場合はステップＳ１１０８へそれぞれ移行する。ステップＳ１１０７では現在のカーソル位置の文字列を文字順で１つ前に変更する。ここで入力できる文字順は例えばアルファベット大文字AからZ次にアルファベット小文字aからｚ、数字０から９とする。文字変更後、ステップＳ１１０３へ移行し、再度、機能設定スイッチ１１９が操作されるまで待機される。ステップＳ１１０８では下矢印キー５０３が操作されたか否かの判定を行い、下矢印キー５０３が操作された場合はステップＳ１１０９へ下矢印キー５０３以外が操作された場合はステップＳ１１１０へそれぞれ移行する。ステップＳ１１０９では現在のカーソル位置の文字列を文字順で１つ後に変更する。文字変更後、ステップＳ１１０３へ移行し、再度、機能設定スイッチ１１９が操作されるまで待機される。
【００３６】
ステップＳ１１１０では左矢印キー５０４が操作されたか否かの判定を行い、左矢印キー５０４が操作された場合はステップＳ１１１１へ、左矢印キー５０４以外が操作された場合はステップＳ１１１４へそれぞれ移行する。ステップＳ１１１１では現在のカーソル位置が入力できる文字列の先頭か否かの判定を行い、現在のカーソル位置が先頭の場合はステップＳ１１１３へ先頭以外の場合はステップＳ１１１２へそれぞれ移行する。
【００３７】
ステップＳ１１１３ではカーソル位置を入力設定できる最後の文字位置へ移動させ、ステップＳ１１０３へ移行し、再度、機能設定スイッチ１１９が操作されるまで待機される。
【００３８】
ステップＳ１１１２ではカーソル位置を１つ左にシフト後、ステップＳ１１０３へ移行し、再度、機能設定スイッチ１１９が操作されるまで待機される。ステップＳ１１１４では現在のカーソル位置が設定入力可能な最後の文字位置か否かの判定を行い、現在のカーソル位置が設定入力可能な最後の文字位置の場合はステップＳ１１１５へカーソル位置が設定入力可能な最後の文字位置以外の場合はステップＳ１１１６へそれぞれ移行する。
【００３９】
ステップＳ１１１５ではカーソル位置を文字列の先頭に移動後、ステップＳ１１０３へ移行し、再度、機能設定スイッチ１１９が操作されるまで待機される。ステップＳ１１１６ではカーソル位置を１つ右にシフト後、ステップＳ１１０３へ移行し、再度、機能設定スイッチ１１９が操作されるまで待機される。このように任意のNameを設定後、選択キー５０１を操作することにより、設定したName文字が記憶手段１２０へ記憶される。
【００４０】
図１４は第３階層User Init設定メニューの操作フローであり、図８のステップ８０７にて図１５に示すようにカーソル位置が第２階層User Init上と判定されると図１４のステップ１４０１にて表示パネル１１８上に図１６に示す第３階層User Init設定メニューが表示される。
【００４１】
ステップＳ１４０２ではカーソル位置を第３階層Initメニュー上にセットされる。ステップＳ１４０３では機能設定スイッチ１１９が操作されるまで待機される。４つの矢印キー５０２から５０５または選択キー５０１のいずれかが操作されるとステップＳ１４０４に移行する。ステップＳ１４０４では選択キー５０１が操作されたか否かの判定を行い、選択キー５０１が操作された場合はステップＳ１４０５へ選択キー５０１以外が操作された場合はステップＳ１４１１へそれぞれ移行する。ステップＳ１４０５では現在のカーソル位置が第３階層User Init設定メニュー上か否かの判定を行い、第３階層User Init設定メニュー上の場合はステップＳ１４２３へ第３階層User Init設定メニュー上以外の場合はステップＳ１４０６へそれぞれ移行する。
【００４２】
ステップＳ１４２３では第２階層User Menuへ移行する。ステップＳ１４０６では現在のカーソル位置がUser 上か否かの判定を行い、User上の場合はステップＳ１４０７へUser上以外の場合はステップＳ１４０９へ移行する。ステップＳ１４０７ではUser Init モードの判定を行い、User Init モードが初期化モードの場合はステップＳ１４０８へそうでない場合はステップＳ１４２３へそれぞれ移行する。ステップＳ１４０８では現在のUser No.の各機能設定情報をすべてデフォルトの設定に初期化する。このデフォルト設定情報は前記した図２の２００の領域に記憶された書き換え不可能なデータを示す。
【００４３】
ステップＳ１４０９ではAll Userモードの判定を行い、All Userモードが初期化モードの場合はステップＳ１４１０へそうでない場合はステップＳ１４２３へそれぞれ移行する。ステップＳ１４１０ではすべてのUser No.領域の各機能設定情報をすべてデフォルトの設定に初期化する。ステップＳ１４１１では上矢印キー５０２が操作されたか否かの判定を行い、上矢印キー５０２が操作された場合はステップＳ１４１２へ上矢印キー５０２以外が操作された場合はステップＳ１４１５へそれぞれ移行する。
【００４４】
ステップＳ１４１２では現在のカーソル位置が上端か否かの判定を行い、カーソル位置が上端の場合はステップＳ１４１３へカーソル位置が上端以外の場合はステップＳ１４１４へそれぞれ移行する。
【００４５】
ステップＳ１４１３では第２階層User Menuへ移行する。ステップＳ１４１４ではカーソル位置を１つ上に移動し、ステップＳ１４０３へ移行し、再度、機能設定スイッチ１１９が操作されるまで待機される。ステップＳ１４１５では下矢印キー５０３が操作されたか否かを判定し、下矢印キー５０３が操作が操作された場合はステップＳ１４１６へ下矢印キー５０３以外が操作された場合はステップＳ１４１８へそれぞれ移行する。
【００４６】
ステップＳ１４１６では現在のカーソル位置が下端か否かの判定を行い、カーソル位置が下端の場合はステップＳ１４０３へ移行し、再度、機能設定スイッチ１１９が操作されるまで待機される。カーソル位置が下端以外の場合はステップＳ１４１７へ移行する。
【００４７】
ステップＳ１４１７ではカーソル位置を１つ下に移動し、Ｓ１４０３へ移行し、再度、機能設定スイッチ１１９が操作されるまで待機される。
【００４８】
ステップＳ１４１８では左矢印キー５０４が操作されたか否かを判定し、左矢印キー５０４が操作された場合はステップＳ１４１９へ左矢印キー５０４以外が操作された場合はステップＳ１４２１へそれぞれ移行する。ステップＳ１４１９では現在のカーソル位置が第３階層User Initメニューか否かの判定を行い、カーソル位置が第３階層User Initメニュー上の場合はステップＳ１４０３へ移行し、再度、機能設定スイッチ１１９が操作されるまで待機される。カーソル位置が第３階層User Initメニュー上以外の場合は現在のカーソル位置のInitモードをYESに設定し、ステップＳ１４０３へ移行し、再度、機能設定スイッチ１１９が操作されるまで待機される。ステップＳ１４２１では現在のカーソル位置が第３階層User Initメニューか否かの判定を行い、カーソル位置が第３階層User Initメニュー上の場合はステップＳ１４０３へ移行し、再度、機能設定スイッチ１１９が操作されるまで待機される。カーソル位置が第３階層User Initメニュー上以外の場合は現在のカーソル位置のInitモードをNOに設定し、ステップＳ１４０３へ移行し、再度、機能設定スイッチ１１９が操作されるまで待機される。ここでUser Init手順について説明する。第２階層Userメニューにて選択キー５０１を操作することにより、図１６に示すように表示パネル１１８上の表示が更新される。次に下矢印キー５０３を操作することにより、図１７に示すように表示パネル１１８上の表示が更新される。ここで左矢印キー５０４を操作することにより、図１９に示すようにInitモードがYESとなる。最後に選択キーを操作することにより、現在のUser No.の各機能設定情報が初期化される。
【００４９】
同様にすべてのUser No.の初期化手順は図２０に示すように下矢印キー５０３を操作し、All User上にカーソルを移動する。次に図２１および図２２に示すように左矢印キー５０４および右矢印キー５０５を操作してInitモードを選択する。最後に選択キー５０１を操作することにより、すべてのUser No.の各機能設定情報が初期化される。
【００５０】
図２３は第３階層User Copy設定メニューの操作フローであり、図８のステップ８０７にて図２４および図２５に示すようにカーソル位置が第２階層User Copy上と判定されると図２３のステップ２３０１にて表示パネル１１８上に図２５に示す第３階層User Copy設定メニューが表示される。ステップＳ２３０２ではカーソル位置を第３階層Copyメニュー上にセットされる。ステップＳ２３０３では機能設定スイッチ１１９が操作されるまで待機される。４つの矢印キー５０２から５０５または選択キー５０１のいずれかが操作されるとステップＳ２３０４に移行する。
【００５１】
ステップＳ２３０４では選択キー５０１が操作されたか否かの判定を行い、選択キー５０１が操作された場合はステップＳ２３０５へ選択キー５０１以外が操作された場合はステップＳ２３０９へそれぞれ移行する。ステップＳ２３０５では現在のカーソル位置が第３階層User Copy設定メニュー上か否かの判定を行い、第３階層User Copy設定メニュー上の場合はステップＳ２３０３へ移行し、再度、機能設定スイッチ１１９が操作されるまで待機される。
【００５２】
第３階層User Copy設定メニュー上以外の場合はステップＳ２３０６へ移行する。ステップＳ２３０６では現在のカーソル位置がTo No. 上か否かの判定を行い、To No.上の場合はステップＳ２３０３へ移行し、再度、機能設定スイッチ１１９が操作されるまで待機される。To No.上以外の場合はステップＳ２３０７へ移行する。ステップＳ２３０７ではUser Copy モードの判定を行い、User Copy モードがYESの場合はステップＳ２３０８へそうでない場合はステップＳ２３０３へ移行し、再度、機能設定スイッチ１１９が操作されるまで待機される。ステップＳ２３０８では現在のUser No.の各機能設定情報をTo No.で指定したUser No.へ各機能設定情報をコピーする。
【００５３】
ステップＳ２３０９では上矢印キー５０２が操作されたか否かの判定を行い、上矢印キー５０２が操作された場合はステップＳ２３１０へ上矢印キー５０２以外が操作された場合はステップＳ２３１３へそれぞれ移行する。ステップＳ２３１０では現在のカーソル位置が上端か否かの判定を行い、カーソル位置が上端の場合はステップＳ２３１１へカーソル位置が上端以外の場合はステップＳ２３１２へそれぞれ移行する。ステップＳ２３１１では第２階層User Menuへ移行する。
【００５４】
ステップＳ２３１２ではカーソル位置を１つ上に移動し、ステップＳ２３０３へ移行し、再度、機能設定スイッチ１１９が操作されるまで待機される。ステップＳ２３１３では下矢印キー５０３が操作されたか否かを判定し、下矢印キー５０３が操作が操作された場合はステップＳ２３１４へ下矢印キー５０３以外が操作された場合はステップＳ２３１６へそれぞれ移行する。ステップＳ２３１４では現在のカーソル位置が下端か否かの判定を行い、カーソル位置が下端の場合はステップＳ２３０３へ移行し、再度、機能設定スイッチ１１９が操作されるまで待機される。カーソル位置が下端以外の場合はステップＳ２３１５へ移行する。
【００５５】
ステップＳ２３１５ではカーソル位置を１つ下に移動し、Ｓ２３０３へ移行し、再度、機能設定スイッチ１１９が操作されるまで待機される。ステップＳ２３１６では左矢印キー５０４が操作されたか否かを判定し、左矢印キー５０４が操作された場合はステップＳ２３１７へ左矢印キー５０４以外が操作された場合はステップＳ２３２３へそれぞれ移行する。ステップＳ２３１７では現在のカーソル位置が第３階層User Copyメニューか否かの判定を行い、カーソル位置が第３階層User Copyメニュー上の場合はステップＳ２３０３へ移行し、再度、機能設定スイッチ１１９が操作されるまで待機される。カーソル位置が第３階層User Copyメニュー上以外の場合はステップＳ２３１８へ移行する。ステップＳ２３１８では現在のカーソル位置がTo No.か否かの判定を行い、現在のカーソル位置がTo No.の場合はステップＳ２３１９へTo No.以外の場合はステップＳ２３２２へそれぞれ移行する。ステップＳ２３１９では現在のTo No.値が最大値か否かの判定を行い、現在のTo No.値が最大値の場合はステップＳ２３２０へ現在のTo No.値が最大値以外の場合はステップＳ２３２１へそれぞれ移行する。
【００５６】
ステップＳ２３２０ではTo No.に１を設定し、ステップＳ２３０３へ移行し、再度、機能設定スイッチ１１９が操作されるまで待機される。ステップＳ２３２１ではTo No.を１つマイナスシフトし、ステップＳ２３０３へ移行し、再度、機能設定スイッチ１１９が操作されるまで待機される。ステップＳ２３２２ではCopyモードをYESに設定し、ステップＳ２３０３へ移行し、再度、機能設定スイッチ１１９が操作されるまで待機される。ステップＳ２３２３では現在のカーソル位置が第３階層User Copyメニューか否かの判定を行い、カーソル位置が第３階層User Copyメニュー上の場合はステップＳ２３０３へ移行し、再度、機能設定スイッチ１１９が操作されるまで待機される。カーソル位置が第３階層User Copyメニュー上以外の場合はステップＳ２３２４へ移行する。
【００５７】
ステップＳ２３２４では現在のカーソル位置がTo No.か否かの判定を行い、現在のカーソル位置がTo No.の場合はステップＳ２３２５へ現在のTo No.値が最大値以外の場合はステップＳ２３２８へそれぞれ移行する。
【００５８】
ステップＳ２３２５では現在のTo No.値が最小値か否かの判定を行い、現在のTo No.値が最小値の場合はステップＳ２３２６へ現在のTo No.値が最小値以外の場合はステップＳ２３２７へそれぞれ移行する。ステップＳ２３２６ではTo No.に最大値を設定し、ステップＳ２３０３へ移行し、再度、機能設定スイッチ１１９が操作されるまで待機される。ステップＳ２３２７ではTo No.を１つプラスシフトし、ステップＳ２３０３へ移行し、再度、機能設定スイッチ１１９が操作されるまで待機される。ステップＳ２３２８ではCopyモードをNoに設定後、ステップＳ２３０３へ移行し、再度、機能設定スイッチ１１９が操作されるまで待機される。
【００５９】
上記、表示パネル１１８の表示内容と機能設定スイッチ１１９の関係を図２６から図２９に示す。
【００６０】
図３０は第３階層User Copy To Other Lens設定メニューの操作フローであり、図８のステップ８０７にて図３１および図３２に示すようにカーソル位置が第２階層User To Other Lens上と判定されると図３０のステップ３００１にて表示パネル１１８上に図３２に示す第３階層User Copy To Other Lens設定メニューが表示される。ステップＳ３００２ではカーソル位置を第３階層Copy To Other Lensメニュー上にセットされる。ステップＳ３００３では機能設定スイッチ１１９が操作されるまで待機される。４つの矢印キー５０２から５０５または選択キー５０１のいずれかが操作されるとステップＳ３００４に移行する。ステップＳ３００４では選択キー５０１が操作されたか否かの判定を行い、選択キー５０１が操作された場合はステップＳ３００５へ選択キー５０１以外が操作された場合はステップＳ３００９へそれぞれ移行する。ステップＳ３００５では現在のカーソル位置が第３階層User Copy To Other Lens設定メニュー上か否かの判定を行い、第３階層User Copy To Other Lens設定メニュー上の場合はステップＳ３００６へ第３階層User Copy To Other Lens設定メニュー上以外の場合はステップＳ３００７へ移行する。ステップＳ３００６では第２階層Userメニューへ移行する。ステップＳ３００７では現在のConnectモードを判定し、ConnectモードがYESの場合はステップＳ３００８へConnectモードがNOの場合はステップＳ３００６へそれぞれ移行する。
【００６１】
ステップＳ３００８では第４階層Userメニューへ移行する。ステップＳ３００９では上矢印キー５０２が操作されたか否かの判定を行い、上矢印キー５０２が操作された場合はステップＳ３０１０へ上矢印キー５０２以外が操作された場合はステップＳ３０１３へそれぞれ移行する。ステップＳ３０１０では現在のカーソル位置が上端か否かの判定を行い、カーソル位置が上端の場合はステップＳ３０１１へカーソル位置が上端以外の場合はステップＳ３０１２へそれぞれ移行する。ステップＳ３０１１では第２階層User Menuへ移行する。ステップＳ３０１２ではカーソル位置を１つ上に移動し、ステップＳ３００３へ移行し、再度、機能設定スイッチ１１９が操作されるまで待機される。ステップＳ３０１３では下矢印キー５０３が操作されたか否かを判定し、下矢印キー５０３が操作が操作された場合はステップＳ３０１４へ下矢印キー５０３以外が操作された場合はステップＳ３０１６へそれぞれ移行する。ステップＳ３０１４では現在のカーソル位置が下端か否かの判定を行い、カーソル位置が下端の場合はステップＳ３００３へ移行し、再度、機能設定スイッチ１１９が操作されるまで待機される。カーソル位置が下端以外の場合はステップＳ３０１５へ移行する。
【００６２】
ステップＳ３０１５ではカーソル位置を１つ下に移動し、Ｓ３００３へ移行し、再度、機能設定スイッチ１１９が操作されるまで待機される。ステップＳ３０１６では左矢印キー５０４が操作されたか否かを判定し、左矢印キー５０４が操作された場合はステップＳ３０１７へ左矢印キー５０４以外が操作された場合はステップＳ３０１９へそれぞれ移行する。ステップＳ３０１７では現在のカーソル位置が第３階層User Copy To Other Lensメニューか否かの判定を行い、カーソル位置が第３階層User Copy To Other Lensメニュー上の場合はステップＳ３００３へ移行し、再度、機能設定スイッチ１１９が操作されるまで待機される。カーソル位置が第３階層User Copy To Other Lensメニュー上以外の場合はステップＳ３０１８へ移行する。ステップＳ３０１８ではConnectモードをYESに設定し、ステップＳ３００３へ移行し、再度、機能設定スイッチ１１９が操作されるまで待機される。ステップＳ３０１９では現在のカーソル位置が第３階層User Copy To Other Lensメニューか否かの判定を行い、カーソル位置が第３階層User Copy To Other Lensメニュー上の場合はステップＳ３００３へ移行し、再度、機能設定スイッチ１１９が操作されるまで待機される。。カーソル位置が第３階層User Copy To Other Lensメニュー上以外の場合はステップＳ３０２０へ移行する。ステップＳ３０２０ではConnectモードをNOに設定し、ステップＳ３００３へ移行し、再度、機能設定スイッチ１１９が操作されるまで待機される。
【００６３】
図３６は第４階層User Copy To Other Lens設定メニューの操作フローであり、図３０のステップ３７０７ConnectモードがYESと判定されると図３６のステップ３６０１にて表示パネル１１８上に図３７に示す第４階層User Copy To Other Lens設定メニューが表示される。ステップＳ３６０２ではカーソル位置を第４階層Copy To Other Lensメニュー上にセットされる。ステップＳ３６０３では機能設定スイッチ１１９が操作されるまで待機される。４つの矢印キー５０２から５０５または選択キー５０１のいずれかが操作されるとステップＳ３６０４に移行する。ステップＳ３６０４では選択キー５０１が操作されたか否かの判定を行い、選択キー５０１が操作された場合はステップＳ３６０５へ選択キー５０１以外が操作された場合はステップＳ３６１０へそれぞれ移行する。ステップＳ３６０５では現在のカーソル位置がUser Copy上でかつCopyモードがYESか否かの判定を行い、User Copy上でかつCopyモードがYESの場合はステップＳ３６０６へUser Copy上でかつCopyモードがYES以外の場合はステップＳ３６０７へ移行する。ステップＳ３６０６では現在のUser No.の各機能設定情報を別レンズの同一User No.の各機能設定情報へコピーを実施する。ステップＳ３６０７では現在のカーソル位置がAllUser Copy上でかつCopyモードがYESか否かの判定を行い、AllUser Copy上でかつCopyモードがYESの場合はステップＳ３６０８へAllUser Copy上でかつCopyモードがYES以外の場合はステップＳ３６０９へそれぞれ移行する。ステップＳ３６０８ではすべてのUser No.の各機能設定情報を別レンズのすべてのUser No.の各機能設定情報へコピーを実施する。ステップＳ３６０９では第２階層Userメニューへ移行する。
【００６４】
ステップＳ３６１０では上矢印キー５０２が操作されたか否かの判定を行い、上矢印キー５０２が操作された場合はステップＳ３６１１へ上矢印キー５０２以外が操作された場合はステップＳ３６１４へそれぞれ移行する。ステップＳ３６１１では現在のカーソル位置が上端か否かの判定を行い、カーソル位置が上端の場合はステップＳ３６１２へカーソル位置が上端以外の場合はステップＳ３６１３へそれぞれ移行する。ステップＳ３６１２では第２階層User Menuへ移行する。ステップＳ３６１３ではカーソル位置を１つ上に移動し、ステップＳ３６０３へ移行し、再度、機能設定スイッチ１１９が操作されるまで待機される。
【００６５】
ステップＳ３６１４では下矢印キー５０３が操作されたか否かを判定し、下矢印キー５０３が操作が操作された場合はステップＳ３６１５へ下矢印キー５０３以外が操作された場合はステップＳ３６１７へそれぞれ移行する。ステップＳ３６１５では現在のカーソル位置が下端か否かの判定を行い、カーソル位置が下端の場合はステップＳ３６０３へ移行し、再度、機能設定スイッチ１１９が操作されるまで待機される。カーソル位置が下端以外の場合はステップＳ３６１６へ移行する。
【００６６】
ステップＳ３６１６ではカーソル位置を１つ下に移動し、Ｓ３６０３へ移行し、再度、機能設定スイッチ１１９が操作されるまで待機される。ステップＳ３６１７では左矢印キー５０４が操作されたか否かを判定し、左矢印キー５０４が操作された場合はステップＳ３６１８へ左矢印キー５０４以外が操作された場合はステップＳ３６２０へそれぞれ移行する。ステップＳ３６１８では現在のカーソル位置が第４階層User Copy To Other Lensメニューか否かの判定を行い、カーソル位置が第４階層User Copy To Other Lensメニュー上の場合はステップＳ３６０３へ移行し、再度、機能設定スイッチ１１９が操作されるまで待機される。カーソル位置が第４階層User Copy To Other Lensメニュー上以外の場合はステップＳ３６１９へ移行する。ステップＳ３６１９ではCopyモードをYESに設定し、ステップＳ３６０３へ移行し、再度、機能設定スイッチ１１９が操作されるまで待機される。ステップＳ３６２０では現在のカーソル位置が第４階層User Copy To Other Lensメニューか否かの判定を行い、カーソル位置が第４階層User Copy To Other Lensメニュー上の場合はステップＳ３６０３へ移行し、再度、機能設定スイッチ１１９が操作されるまで待機される。
【００６７】
カーソル位置が第４階層User Copy To Other Lensメニュー上以外の場合はステップＳ３６２１へ移行する。ステップＳ３６２１ではCopyモードをNOに設定し、ステップＳ３６０３へ移行し、再度、機能設定スイッチ１１９が操作されるまで待機される。
【００６８】
次に別レンズへの各機能設定コピーを表示フローにそって説明する。
【００６９】
図３２に示すように第２階層UserメニューにおいてTo Other Lensにカーソルを合わせ、選択キー５０１を操作する。表示パネル１１８上の表示が更新され第３階層User  Other Lensメニューが表示される。次に図３３に示すように下矢印キー５０３を操作し、Connectにカーソルを合わせる。図３４および図３５に示すように左矢印キー５０４及び右矢印キー５０５を操作し、ConnectモードをYESに設定する。ConnectモードをYESに設定したら、選択キー５０１を操作することにより、データ通信手段１２２を介して別レンズとの通信が開始される。データ通信手段１２２にて別レンズとの通信が正常に行えると、図３７に示す第４階層User Copy To Other Lensメニューが表示される。
【００７０】
次に１つのUser No.のみコピーを実施したい場合は図３８に示すように下矢印キー５０３を操作し、User Copyにカーソルを合わせる。次に図３９及び図４０に示すように左矢印キー５０４及び右矢印キー５０５を操作し、コピー実施モードYESまたはNOを選択する。最後に選択キー５０１を操作すると、データ通信手段１２２を介して別レンズへの選択されたUser No.の各機能設定情報がコピーされる。
【００７１】
又、すべてのUser No.をコピーしたい場合は、図４１に示すように下矢印キー５０３を操作し、All Copyにカーソルを合わせる。次に図４２及び図４３に示すように左矢印キー５０４及び右矢印キー５０５を操作し、コピー実施モードYESまたはNOを選択する。
【００７２】
最後に選択キー５０１を操作すると、データ通信手段１２２を介して別レンズへすべてのUser No.の各機能設定情報がコピーされる。
【００７３】
図４４は第１階層及び第２階層Switch機能メニューの操作フローであり、ステップＳ４４０１では表示パネル１１８の表示を図７の７０３に示すように更新される。ステップＳ４４０２ではカーソル位置を第１階層Switchメニューアイコン上にセットされる。
【００７４】
ステップＳ４４０３では機能設定スイッチ１１９が操作されるまで待機される。４つの矢印キー５０２から５０５または選択キー５０１のいずれかが操作されるとステップＳ４４０４に移行する。ステップＳ４４０４では選択キー５０１が操作されたか否かの判定を行い、選択キー５０１が操作された場合はステップＳ４４０３へ移行し、再度、機能設定スイッチ１１９が操作されるまで待機される。選択キー５０１以外が操作された場合はステップＳ４４０５へ移行する。
【００７５】
ステップＳ４４０５では上矢印キー５０２が操作されたか否かの判定を行い、上矢印キー５０２が操作された場合はステップＳ４４０６へ上矢印キー５０２以外が操作された場合はステップＳ４４０９へそれぞれ移行する。ステップＳ４４０６では現在のカーソル位置が第１階層Switchメニューアイコン上か否かの判定を行い、第１階層Switchメニューアイコン上の場合はステップＳ４４０７へ移行し、第１階層Switchメニューアイコン上以外の場合はステップＳ４４０８へ移行する。
【００７６】
ステップＳ４４０７では表示パネル１０７上の表示を図４５に示す立ち上げメニュー表示に戻すか否かの移行確認メニューが表示される。ここで、立ち上げメニュー表示に戻る場合は選択キー５０１を操作し、そうでない場合は下矢印キー５０３を操作することにより再度、第１階層のSwitchメニューが表示される。ステップＳ４４０８ではカーソル位置を１つ上に移動し、ステップＳ４４０３へ移行し、再度、機能設定スイッチ１１９が操作されるまで待機される。
【００７７】
ステップＳ４４０９では下矢印キー５０３が操作されたか否かを判定し、下矢印キー５０３が操作が操作された場合はステップＳ４４１０へ下矢印キー５０３以外が操作された場合はステップＳ４４１２へそれぞれ移行する。ステップＳ４４１０では現在のカーソル位置が下端か否かの判定を行い、カーソル位置が下端の場合はステップＳ４４０３へ移行し、再度、機能設定スイッチ１１９が操作されるまで待機される。カーソル位置が下端以外の場合はステップＳ４４１１へ移行する。
【００７８】
ステップＳ４４１１ではカーソル位置を１つ下に移動し、Ｓ４４０３へ移行し、再度、機能設定スイッチ１１９が操作されるまで待機される。ステップＳ４４１２では左矢印キー５０４が操作されたか否かを判定し、左矢印キー５０４が操作された場合はステップＳ４４１３へ左矢印キー５０４以外が操作された場合はステップＳ４４２０へそれぞれ移行する。ステップＳ４４１３では現在のカーソル位置が第１階層User Switchメニューか否かの判定を行い、カーソル位置が第１階層User Switchメニュー上の場合はステップＳ４４１４へ移行し、カーソル位置が第１階層User Switchメニュー上以外の場合はステップＳ４４１５へ移行する。
【００７９】
ステップＳ４４１４では第１階層Userメニューへ移行する。ステップＳ４４１５では現在のカーソル位置がIris A/Mか否かの判定を行い、現在のカーソル位置がIris A/M の場合はステップＳ４４１６へ現在のカーソル位置がIris A/M 以外の場合はステップＳ４４１７へそれぞれ移行する。ステップＳ４４１６ではIris A/Mのモード設定を変更後、ステップＳ４４０３へ移行し、再度、機能設定スイッチ１１９が操作されるまで待機される。
【００８０】
ステップＳ４４１７では現在のカーソル位置がSeesawか否かの判定を行い、現在のカーソル位置がSeesawの場合はステップＳ４４１８へ現在のカーソル位置がSeesaw以外の場合はステップＳ４４１９へそれぞれ移行する。ステップＳ４４１８ではSeesaw制御モードを変更し、ステップＳ４４０３へ移行し、再度、機能設定スイッチ１１９が操作されるまで待機される。ステップＳ４４１９では現在のカーソル位置のスイッチ機能を変更し、ステップＳ４４０３へ移行し、再度、機能設定スイッチ１１９が操作されるまで待機される。
【００８１】
ステップＳ４４２０では現在のカーソル位置が第１階層User Switchメニューか否かの判定を行い、カーソル位置が第１階層User Switchメニュー上の場合はステップＳ４４２１へ移行し、カーソル位置が第１階層User Switchメニュー上以外の場合はステップＳ４４２２へ移行する。
【００８２】
ステップＳ４４２１では第１階層Presetメニューへ移行する。ステップＳ４４２２では現在のカーソル位置がIris A/Mか否かの判定を行い、現在のカーソル位置がIris A/M の場合はステップＳ４４２３へ現在のカーソル位置がIris A/M 以外の場合はステップＳ４４２４へそれぞれ移行する。
【００８３】
ステップＳ４４２３ではIris A/Mのモード設定を変更後、ステップＳ４４０３へ移行し、再度、機能設定スイッチ１１９が操作されるまで待機される。ステップＳ４４２４では現在のカーソル位置がSeesawか否かの判定を行い、現在のカーソル位置がSeesawの場合はステップＳ４４２５へ現在のカーソル位置がSeesaw以外の場合はステップＳ４４２６へそれぞれ移行する。
【００８４】
ステップＳ４４２５ではSeesaw制御モードを変更し、ステップＳ４４０３へ移行し、再度、機能設定スイッチ１１９が操作されるまで待機される。ステップＳ４４２６では現在のカーソル位置のスイッチ機能を変更し、ステップＳ４４０３へ移行し、再度、機能設定スイッチ１１９が操作されるまで待機される。
【００８５】
次にこのSwitchメニューにて設定変更できる機能について説明する。
【００８６】
図４６から図４９に示すようにそれぞれAUX1スイッチ３０５、AUX2スイッチ４０２、VTRスイッチ４０１、RETスイッチ３０４の４種類のスイッチ機能を変更可能となっている。例えば図４６に示すようにAUX1上にカーソルを移動し、左矢印キー５０４または右矢印キー５０５を操作することにより、AUX1スイッチの機能がFrame Preset1、Frame Preset2、Speed、Shuttle Shot、VTR、RETと切り替え可能となっている。AUX2、VTRおよびRETスイッチについても同様である。次に図５０に示すように、A/M上にカーソルを移動し、左矢印キー５０４または右矢印キー５０５を操作することにより、アイリスのスイッチ設定もNormal、Reverse、Auto Only、Manual Onlyと切り替え可能となっている。また、図５１に示すように、SSaw上にカーソルを移動し、左矢印キー５０４または右矢印キー５０５を操作することにより、ズームシーソースイッチによる機能もZoom、Iris、Focus、と制御対象を切り替え可能となっている。
【００８７】
図５２は第１階層及び第２階層Preset機能メニューの操作フローであり、ステップＳ５２０１では表示パネル１１８の表示を図７の７０４に示すように更新される。ステップＳ５２０２ではカーソル位置を第１階層Presetメニューアイコン上にセットされる。
【００８８】
ステップＳ５２０３では機能設定スイッチ１１９が操作されるまで待機される。４つの矢印キー５０２から５０５または選択キー５０１のいずれかが操作されるとステップＳ５２０４に移行する。ステップＳ５２０４では選択キー５０１が操作されたか否かの判定を行い、選択キー５０１が操作された場合はステップＳ５２０５へ選択キー５０１以外が操作された場合はステップＳ５２０８へ移行する。
【００８９】
ステップＳ５２０５では現在のカーソル位置が第２階層Presetメニューか否かの判定が行われ、現在のカーソル位置が第２階層Presetメニューの場合はステップＳ５２０６へ現在のカーソル位置が第２階層Presetメニュー以外の場合はステップＳ５２０３へ移行し、再度、機能設定スイッチ１１９が操作されるまで待機される。ステップＳ５２０６では現在のカーソル位置がZ_Speedか否かの判定が行われ、現在のカーソル位置がZ_Speedの場合はステップＳ５２０３へ移行し、再度、機能設定スイッチ１１９が操作されるまで待機される。、現在のカーソル位置がZ_Speed以外の場合はステップＳ５２０７へ移行する。ステップＳ５２０７では現在のカーソル位置の第３階層Presetメニューに移行する。
【００９０】
ステップＳ５２０８では上矢印キー５０２が操作されたか否かの判定を行い、上矢印キー５０２が操作された場合はステップＳ５２０９へ上矢印キー５０２以外が操作された場合はステップＳ５２１２へそれぞれ移行する。ステップＳ５２０９では現在のカーソル位置が第１階層Presetメニューアイコン上か否かの判定を行い、第１階層Presetメニューアイコン上の場合はステップＳ５２１０へ移行し、第１階層Presetメニューアイコン上以外の場合はステップＳ５２１１へ移行する。
【００９１】
ステップＳ５２１０では表示パネル１０７上の表示を図５３に示す立ち上げメニュー表示に戻すか否かの移行確認メニューが表示される。ここで、立ち上げメニュー表示に戻る場合は選択キー５０１を操作し、そうでない場合は下矢印キー５０３を操作することにより再度、第１階層のPresetメニューが表示される。ステップＳ５２１１ではカーソル位置を１つ上に移動し、ステップＳ５２０３へ移行し、再度、機能設定スイッチ１１９が操作されるまで待機される。ステップＳ５２１２では下矢印キー５０３が操作されたか否かを判定し、下矢印キー５０３が操作が操作された場合はステップＳ５２１３へ下矢印キー５０３以外が操作された場合はステップＳ５２１５へそれぞれ移行する。ステップＳ５２１３では現在のカーソル位置が下端か否かの判定を行い、カーソル位置が下端の場合はステップＳ５２０３へ移行し、再度、機能設定スイッチ１１９が操作されるまで待機される。
【００９２】
カーソル位置が下端以外の場合はステップＳ５２１４へ移行する。ステップＳ５２１４ではカーソル位置を１つ下に移動し、Ｓ５２０３へ移行し、再度、機能設定スイッチ１１９が操作されるまで待機される。ステップＳ５２１５では左矢印キー５０４が操作されたか否かを判定し、左矢印キー５０４が操作された場合はステップＳ５２１６へ左矢印キー５０４以外が操作された場合はステップＳ５２２１へそれぞれ移行する。
【００９３】
ステップＳ５２１６では現在のカーソル位置が第１階層Presetメニューか否かの判定を行い、カーソル位置が第１階層Presetメニュー上の場合はステップＳ５２１７へ移行し、カーソル位置が第１階層Presetメニュー上以外の場合はステップＳ５２１８へ移行する。ステップＳ５２１７では第１階層Switchメニューへ移行する。
【００９４】
ステップＳ５２１８では現在のカーソル位置がZ_Speedか否かの判定を行い、現在のカーソル位置がZ_Speedの場合はステップＳ５２１９へ現在のカーソル位置がZ_Speed以外の場合はステップＳ５２０３へ移行し、再度、機能設定スイッチ１１９が操作されるまで待機される。ステップＳ５２１９ではZ_Speed がMin値か否かの判定を行い、Z_Speed がMin値の場合はステップＳ５２０３へ移行し、再度、機能設定スイッチ１１９が操作されるまで待機される。Z_Speed がMin値以外の場合は、ステップＳ５２２０へ移行する。
【００９５】
ステップＳ５２２０ではZ_Speedを１つマイナスシフトし、ステップＳ５２０３へ移行し、再度、機能設定スイッチ１１９が操作されるまで待機される。ステップＳ５２２１では現在のカーソル位置が第１階層Presetメニューか否かの判定を行い、カーソル位置が第１階層Presetメニュー上の場合はステップＳ５２２２へ移行し、カーソル位置が第１階層Presetメニュー上以外の場合はステップＳ５２２３へ移行する。ステップＳ５２２２では第１階層Irisメニューへ移行する。
【００９６】
ステップＳ５２２３では現在のカーソル位置がZ_Speedか否かの判定を行い、現在のカーソル位置がZ_Speedの場合はステップＳ５２２４へ現在のカーソル位置がZ_Speed以外の場合はステップＳ５２０３へ移行し、再度、機能設定スイッチ１１９が操作されるまで待機される。ステップＳ５２２４ではZ_Speed がMax値か否かの判定を行い、Z_Speed がMax値の場合はステップＳ５２０３へ移行し、再度、機能設定スイッチ１１９が操作されるまで待機される。Z_Speed がMax値以外の場合は、ステップＳ５２２５へ移行する。ステップＳ５２２５ではZ_Speedを１つプラスシフトし、ステップＳ５２０３へ移行し、再度、機能設定スイッチ１１９が操作されるまで待機される。
【００９７】
図５８は第３階層Frame Preset1及びFrame Preset2機能メニューの操作フローであり、ステップＳ５８０１では表示パネル１１８の表示を図５９に示すように更新される。ステップＳ５８０２ではカーソル位置を第３階層Frame1/2上にセットされる。
【００９８】
ステップＳ５８０３では機能設定スイッチ１１９が操作されるまで待機される。４つの矢印キー５０２から５０５または選択キー５０１のいずれかが操作されるとステップＳ５８０４に移行する。ステップＳ５８０４では選択キー５０１が操作されたか否かの判定を行い、選択キー５０１が操作された場合はステップＳ５８０５へ選択キー５０１以外が操作された場合はステップＳ５８０６へ移行する。ステップＳ５８０５では、第２階層Presetメニューに移行する。
【００９９】
ステップＳ５８０６では上矢印キー５０２が操作されたか否かの判定を行い、上矢印キー５０２が操作された場合はステップＳ５８０７へ上矢印キー５０２以外が操作された場合はステップＳ５８１０へそれぞれ移行する。ステップＳ５８０７では現在のカーソル位置が上端か否かの判定を行い、現在のカーソル位置が上端の場合はステップＳ５８０８へ移行し、現在のカーソル位置が上端以外の場合はステップＳ５８０９へ移行する。ステップＳ５８０８では第２階層Presetメニューに移行する。
【０１００】
ステップＳ５８０９ではカーソル位置を１つ上に移動し、ステップＳ５８０３へ移行し、再度、機能設定スイッチ１１９が操作されるまで待機される。ステップＳ５８１０では下矢印キー５０３が操作されたか否かを判定し、下矢印キー５０３が操作が操作された場合はステップＳ５８１１へ下矢印キー５０３以外が操作された場合はステップＳ５８１３へそれぞれ移行する。ステップＳ５８１１では現在のカーソル位置が下端か否かの判定を行い、カーソル位置が下端の場合はステップＳ５８０３へ移行し、再度、機能設定スイッチ１１９が操作されるまで待機される。
【０１０１】
カーソル位置が下端以外の場合はステップＳ５８１２へ移行する。ステップＳ５８１２ではカーソル位置を１つ下に移動し、Ｓ５８０３へ移行し、再度、機能設定スイッチ１１９が操作されるまで待機される。ステップＳ５８１３では左矢印キー５０４が操作されたか否かを判定し、左矢印キー５０４が操作された場合はステップＳ５８１４へ左矢印キー５０４以外が操作された場合はステップＳ５８１９へそれぞれ移行する。ステップＳ５８１４では現在のカーソル位置が第３階層Frameメニューか否かの判定を行い、カーソル位置が第３階層Frameメニュー上の場合はステップＳ５８１５へ移行し、カーソル位置が第３階層Frameメニュー上以外の場合はステップＳ５８１６へ移行する。ステップＳ５８１５ではFrame  Presetのモードを変更後、ステップＳ５８０３へ移行し、再度、機能設定スイッチ１１９が操作されるまで待機される。ステップＳ５８１６では現在のカーソル位置がZoomか否かの判定を行い、現在のカーソル位置がZoomの場合はステップＳ５８１７へ現在のカーソル位置がZoom以外の場合はステップＳ５８１８へ移行する。ステップＳ５８１７ではZoomモードをONとし、ステップＳ５８０３へ移行し、再度、機能設定スイッチ１１９が操作されるまで待機される。
【０１０２】
ステップＳ５８１８ではFocusモードをONとし、ステップＳ５８０３へ移行し、再度、機能設定スイッチ１１９が操作されるまで待機される。ステップＳ５８１９では現在のカーソル位置が第３階層Frameメニューか否かの判定を行い、カーソル位置が第３階層Frameメニュー上の場合はステップＳ５８２０へ移行し、カーソル位置が第３階層Frameメニュー上以外の場合はステップＳ５８２１へ移行する。ステップＳ５８２０ではFrame  Presetのモードを変更後、ステップＳ５８０３へ移行し、再度、機能設定スイッチ１１９が操作されるまで待機される。
【０１０３】
ステップＳ５８２１では現在のカーソル位置がZoomか否かの判定を行い、現在のカーソル位置がZoomの場合はステップＳ５８２２へ現在のカーソル位置がZoom以外の場合はステップＳ５８２３へ移行する。ステップＳ５８２２ではZoomモードをOFFとし、ステップＳ５８０３へ移行し、再度、機能設定スイッチ１１９が操作されるまで待機される。ステップＳ５８２３ではFocusモードをOFFとし、ステップＳ５８０３へ移行し、再度、機能設定スイッチ１１９が操作されるまで待機される。
【０１０４】
次にこのFrame Presetメニューにて設定変更できる機能について説明する。
【０１０５】
図５９及び図６２においてそれぞれFrame1およびFrame2上にカーソルを移動し、選択キー５０１を操作することにより第３階層Frame１およびFrame2メニューが表示される。ここで図６０、図６１および図６３、図６４に示すように左矢印キー５０４または右矢印キー５０５を操作することにより、Frame1およびFrame2機能の各ZoomおよびFocusの有効・無効を切り替えることができる。
【０１０６】
図６５は第３階層Preset  Zoom_MoveMode機能メニューの操作フローであり、ステップＳ６５０１では表示パネル１１８の表示を図６６に示すように更新される。ステップＳ６５０２ではカーソル位置を第３階層Zoom_MoveMode上にセットされる。
【０１０７】
ステップＳ６５０３では機能設定スイッチ１１９が操作されるまで待機される。４つの矢印キー５０２から５０５または選択キー５０１のいずれかが操作されるとステップＳ６５０４に移行する。ステップＳ６５０４では選択キー５０１が操作されたか否かの判定を行い、選択キー５０１が操作された場合はステップＳ６５０５へ選択キー５０１以外が操作された場合はステップＳ６５０６へ移行する。ステップＳ６５０５では、第２階層Presetメニューに移行する。
【０１０８】
ステップＳ６５０６では上矢印キー５０２が操作されたか否かの判定を行い、上矢印キー５０２が操作された場合はステップＳ６５０７へ上矢印キー５０２以外が操作された場合はステップＳ６５１０へそれぞれ移行する。ステップＳ６５０７では現在のカーソル位置が上端か否かの判定を行い、現在のカーソル位置が上端の場合はステップＳ６５０８へ移行し、現在のカーソル位置が上端以外の場合はステップＳ６５０９へ移行する。ステップＳ６５０８では第２階層Presetメニューに移行する。
【０１０９】
ステップＳ６５０９ではカーソル位置を１つ上に移動し、ステップＳ６５０３へ移行し、再度、機能設定スイッチ１１９が操作されるまで待機される。ステップＳ６５１０では下矢印キー５０３が操作されたか否かを判定し、下矢印キー５０３が操作が操作された場合はステップＳ６５１１へ下矢印キー５０３以外が操作された場合はステップＳ６５１３へそれぞれ移行する。ステップＳ６５１１では現在のカーソル位置が下端か否かの判定を行い、カーソル位置が下端の場合はステップＳ６５０３へ移行し、再度、機能設定スイッチ１１９が操作されるまで待機される。カーソル位置が下端以外の場合はステップＳ６５１２へ移行する。
【０１１０】
ステップＳ６５１２ではカーソル位置を１つ下に移動し、ステップＳ６５０３へ移行し、再度、機能設定スイッチ１１９が操作されるまで待機される。ステップＳ６５１３では左矢印キー５０４が操作されたか否かを判定し、左矢印キー５０４が操作された場合はステップＳ６５１４へ左矢印キー５０４以外が操作された場合はステップＳ６５１８へそれぞれ移行する。ステップＳ６５１４では現在のカーソル位置が第３階層Zoom_MoveModeメニューか否かの判定を行い、カーソル位置が第３階層Zoom_MoveModeメニュー上の場合はステップＳ６５０３へ移行し、再度、機能設定スイッチ１１９が操作されるまで待機される。
【０１１１】
カーソル位置が第３階層Zoom_MoveModeメニュー上以外の場合はステップＳ６５１５へ移行する。ステップＳ６５１５では現在のカーソル位置がStartか否かの判定を行い、現在のカーソル位置がStartの場合はステップＳ６５１６へ現在のカーソル位置がStart以外の場合はステップＳ６５１７へ移行する。
【０１１２】
ステップＳ６５１６ではズームの立ち上がり特性を変更し、ステップＳ６５０３へ移行し、再度、機能設定スイッチ１１９が操作されるまで待機される。ステップＳ６５１７ではズームの止まり際特性を変更し、ステップＳ６５０３へ移行し、再度、機能設定スイッチ１１９が操作されるまで待機される。ステップＳ６５１８では現在のカーソル位置が第３階層Zoom_MoveModeメニューか否かの判定を行い、カーソル位置が第３階層Zoom_MoveModeメニュー上の場合はステップＳ６５０３へ移行し、再度、機能設定スイッチ１１９が操作されるまで待機される。
【０１１３】
カーソル位置が第３階層Zoom_MoveModeメニュー上以外の場合はステップＳ６５１９へ移行する。ステップＳ６５１９では現在のカーソル位置がStartか否かの判定を行い、現在のカーソル位置がStartの場合はステップＳ６５２０へ現在のカーソル位置がStart以外の場合はステップＳ６５２１へ移行する。ステップＳ６５２０ではズームの立ち上がり特性を変更し、ステップＳ６５０３へ移行し、再度、機能設定スイッチ１１９が操作されるまで待機される。ステップＳ６５２１ではズームの止まり際特性を変更し、ステップＳ６５０３へ移行し、再度、機能設定スイッチ１１９が操作されるまで待機される。上記Zoom＿MoveModeの特性変更メニューを図６７および図６８に示す。
【０１１４】
図６９は第１階層及び第２階層Iris機能メニューの操作フローであり、ステップＳ６９０１では表示パネル１１８の表示を図７の７０５に示すように更新される。ステップＳ６９０２ではカーソル位置を第１階層Irisメニューアイコン上にセットされる。
【０１１５】
ステップＳ６９０３では機能設定スイッチ１１９が操作されるまで待機される。４つの矢印キー５０２から５０５または選択キー５０１のいずれかが操作されるとステップＳ６９０４に移行する。ステップＳ６９０４では選択キー５０１が操作されたか否かの判定を行い、選択キー５０１が操作された場合はステップＳ６９０５へ選択キー５０１以外が操作された場合はステップＳ６９０７へ移行する。ステップＳ６９０５では現在のカーソル位置が第２階層I-Gainメニューか否かの判定が行われ、現在のカーソル位置が第２階層I-Gainメニューの場合はステップＳ６９０６へ現在のカーソル位置が第２階層I-Gainメニュー以外の場合はステップＳ６９０３へ移行し、再度、機能設定スイッチ１１９が操作されるまで待機される。ステップＳ６９０６では第３Iris Gainメニューに移行する。
【０１１６】
ステップＳ６９０７では上矢印キー５０２が操作されたか否かの判定を行い、上矢印キー５０２が操作された場合はステップＳ６９０８へ上矢印キー５０２以外が操作された場合はステップＳ６９１１へそれぞれ移行する。ステップＳ６９０８では現在のカーソル位置が第１階層Irisメニューアイコン上か否かの判定を行い、第１階層Irisメニューアイコン上の場合はステップＳ６９０９へ移行し、第１階層Irisメニューアイコン上以外の場合はステップＳ６９１０へ移行する。
【０１１７】
ステップＳ６９０９では表示パネル１０７上の表示を図７０に示す立ち上げメニュー表示に戻すか否かの移行確認メニューが表示される。ここで、立ち上げメニュー表示に戻る場合は選択キー５０１を操作し、そうでない場合は下矢印キー５０３を操作することにより再度、第１階層のIrisメニューが表示される。
【０１１８】
ステップＳ６９１０ではカーソル位置を１つ上に移動し、ステップＳ６９０３へ移行し、再度、機能設定スイッチ１１９が操作されるまで待機される。ステップＳ６９１１では下矢印キー５０３が操作されたか否かを判定し、下矢印キー５０３が操作が操作された場合はステップＳ６９１２へ下矢印キー５０３以外が操作された場合はステップＳ６９１４へそれぞれ移行する。ステップＳ６９１２では現在のカーソル位置が下端か否かの判定を行い、カーソル位置が下端の場合はステップＳ６９０３へ移行し、再度、機能設定スイッチ１１９が操作されるまで待機される。カーソル位置が下端以外の場合はステップＳ６９１３へ移行する。ステップＳ６９１３ではカーソル位置を１つ下に移動し、Ｓ６９０３へ移行し、再度、機能設定スイッチ１１９が操作されるまで待機される。ステップＳ６９１４では左矢印キー５０４が操作されたか否かを判定し、左矢印キー５０４が操作された場合はステップＳ６９１５へ左矢印キー５０４以外が操作された場合はステップＳ６９１９へそれぞれ移行する。
【０１１９】
ステップＳ６９１５では現在のカーソル位置が第１階層Irisメニューか否かの判定を行い、カーソル位置が第１階層Irisメニュー上の場合はステップＳ６９１６へ移行し、カーソル位置が第１階層Irisメニュー上以外の場合はステップＳ６９１７へ移行する。ステップＳ６９１６では第１階層Irisメニューへ移行する。ステップＳ６９１７では現在のカーソル位置がI-Gainか否かの判定を行い、現在のカーソル位置がI-Gainの場合はステップＳ６９０３へ移行し、再度、機能設定スイッチ１１９が操作されるまで待機される。
【０１２０】
現在のカーソル位置がI-Gain以外の場合はステップＳ６９１８へ移行する。ステップＳ６９１８では現在のカーソル位置の各機能が変更され、ステップＳ６９０３へ移行し、再度、機能設定スイッチ１１９が操作されるまで待機される。
【０１２１】
ステップＳ６９１９では現在のカーソル位置が第１階層Irisメニューか否かの判定を行い、カーソル位置が第１階層Irisメニュー上の場合はステップＳ６９２０へ移行し、カーソル位置が第１階層Irisメニュー上以外の場合はステップＳ６９２１へ移行する。ステップＳ６９２０では第１階層Irisメニューへ移行する。ステップＳ６９２１では現在のカーソル位置がI-Gainか否かの判定を行い、現在のカーソル位置がI-Gainの場合はステップＳ６９０３へ移行し、再度、機能設定スイッチ１１９が操作されるまで待機される。
【０１２２】
現在のカーソル位置がI-Gain以外の場合はステップＳ６９２２へ移行する。ステップＳ６９２２では現在のカーソル位置の各機能が変更され、ステップＳ６９０３へ移行し、再度、機能設定スイッチ１１９が操作されるまで待機される。
【０１２３】
図７５は第３階層Iris-Gain機能メニューの操作フローであり、ステップＳ７５０１では表示パネル１１８の表示を図７６に示すように更新される。ステップＳ７５０２ではカーソル位置を第３階層Iris-Gainメニューアイコン上にセットされる。
【０１２４】
ステップＳ７５０３では機能設定スイッチ１１９が操作されるまで待機される。４つの矢印キー５０２から５０５または選択キー５０１のいずれかが操作されるとステップＳ７５０４に移行する。ステップＳ７５０４では選択キー５０１が操作されたか否かの判定を行い、選択キー５０１が操作された場合はステップＳ７５０５へ選択キー５０１以外が操作された場合はステップＳ７５０６へ移行する。
【０１２５】
ステップＳ７５０５では第２階層Irisメニューへ移行する。ステップＳ７５０６では上矢印キー５０２が操作されたか否かの判定を行い、上矢印キー５０２が操作された場合はステップＳ７５０７へ上矢印キー５０２以外が操作された場合はステップＳ７５１０へそれぞれ移行する。ステップＳ７５０７では現在のカーソル位置が上端か否かの判定を行い、現在のカーソル位置が上端の場合はステップＳ７５０８へ移行し、現在のカーソル位置が上端以外の場合はステップＳ７５０９へ移行する。
【０１２６】
ステップＳ７５０８では第２Iris機能メニューに移行する。ステップＳ７５０９ではカーソル位置を１つ上に移動し、ステップＳ７５０３へ移行し、再度、機能設定スイッチ１１９が操作されるまで待機される。ステップＳ７５１０では下矢印キー５０３が操作されたか否かを判定し、下矢印キー５０３が操作が操作された場合はステップＳ７５１１へ下矢印キー５０３以外が操作された場合はステップＳ７５１３へそれぞれ移行する。ステップＳ７５１１では現在のカーソル位置が下端か否かの判定を行い、カーソル位置が下端の場合はステップＳ７５０３へ移行し、再度、機能設定スイッチ１１９が操作されるまで待機される。カーソル位置が下端以外の場合はステップＳ７５１２へ移行する。ステップＳ７５１２ではカーソル位置を１つ下に移動し、Ｓ７５０３へ移行し、再度、機能設定スイッチ１１９が操作されるまで待機される。
【０１２７】
ステップＳ７５１３では左矢印キー５０４が操作されたか否かを判定し、左矢印キー５０４が操作された場合はステップＳ７５１４へ左矢印キー５０４以外が操作された場合はステップＳ７５１８へそれぞれ移行する。ステップＳ７５１４では現在のカーソル位置が第３階層Iris-Gainメニューか否かの判定を行い、カーソル位置が第３階層Iris-Gainメニュー上の場合はステップＳ７５０３へ移行し、再度、機能設定スイッチ１１９が操作されるまで待機される。カーソル位置が第３階層Iris-Gainメニュー上以外の場合はステップＳ７５１５へ移行する。
【０１２８】
ステップＳ７５１５では現在のカーソル位置がAutoか否かの判定を行い、現在のカーソル位置がAutoの場合はステップＳ７５１６へ移行し、現在のカーソル位置がAuto以外の場合はステップＳ７５１７へ移行する。ステップＳ７５１６ではIris Auto Gain特性が変更され、ステップＳ７５０３へ移行し、再度、機能設定スイッチ１１９が操作されるまで待機される。
【０１２９】
ステップＳ７５１７ではIris Remote Gain特性が変更され、ステップＳ７５０３へ移行し、再度、機能設定スイッチ１１９が操作されるまで待機される。
【０１３０】
ステップＳ７５１８では現在のカーソル位置が第３階層Iris-Gainメニューか否かの判定を行い、カーソル位置が第３階層Iris-Gainメニュー上の場合はステップＳ７５０３へ移行し、再度、機能設定スイッチ１１９が操作されるまで待機される。カーソル位置が第３階層Iris-Gainメニュー上以外の場合はステップＳ７５１９へ移行する。ステップＳ７５１９では現在のカーソル位置がAutoか否かの判定を行い、現在のカーソル位置がAutoの場合はステップＳ７５２０へ移行し、現在のカーソル位置がAuto以外の場合はステップＳ７５２１へ移行する。
【０１３１】
ステップＳ７５２０ではIris Auto Gain特性が変更され、ステップＳ７５０３へ移行し、再度、機能設定スイッチ１１９が操作されるまで待機される。
【０１３２】
ステップＳ７５２１ではIris Remote Gain特性が変更され、ステップＳ７５０３へ移行し、再度、機能設定スイッチ１１９が操作されるまで待機される。
【０１３３】
次にこのIrisメニューにて設定変更できる機能について説明する。
【０１３４】
図７１から図７４および図７６から図７８に示すようにそれぞれIris Gainをカメラからの制御であるAuto Iris Gainおよびデマンド等からの制御であるRemote Iris Gainの特性を個別に設定可能。又、マニュアルでの操作性向上のためのアイリスマニュアルトルク設定、エクステンダ挿入時のアイリス補正ON/OFF、補正ON時のClose検出設定が可能な構成となっている。
【０１３５】
図７９は第１階層及び第２階層Zoom機能メニューの操作フローであり、ステップＳ７９０１では表示パネル１１８の表示を図７の７０６に示すように更新される。ステップＳ７９０２ではカーソル位置を第１階層Zoomメニューアイコン上にセットされる。
【０１３６】
ステップＳ７９０３では機能設定スイッチ１１９が操作されるまで待機される。４つの矢印キー５０２から５０５または選択キー５０１のいずれかが操作されるとステップＳ７９０４に移行する。ステップＳ７９０４では選択キー５０１が操作されたか否かの判定を行い、選択キー５０１が操作された場合はステップＳ７９０５へ選択キー５０１以外が操作された場合はステップＳ７９０９へ移行する。
【０１３７】
ステップＳ７９０５では現在のカーソル位置が第２階層CurveModeメニューか否かの判定が行われ、現在のカーソル位置が第２階層CurveModeメニューの場合はステップＳ７９０８へ現在のカーソル位置が第２階層CurveModeメニュー以外の場合はステップＳ７９０６へそれぞれ移行する。ステップＳ７９０８では第３階層Zoomメニューに移行する。
【０１３８】
ステップＳ７９０６では現在のカーソル位置が第２階層MoveModeメニューか否かの判定が行われ、現在のカーソル位置が第２階層MoveModeメニューの場合はステップＳ７９０８へ現在のカーソル位置が第２階層MoveModeメニュー以外の場合はステップＳ７９０７へそれぞれ移行する。
【０１３９】
ステップＳ７９０７では現在のカーソル位置が第２階層SpeedVRメニューか否かの判定が行われ、現在のカーソル位置が第２階層SpeedVRメニューの場合はステップＳ７９０８へ現在のカーソル位置が第２階層SpeedVRメニュー以外の場合はステップＳ７９０３へそれぞれ移行し、再度、機能設定スイッチ１１９が操作されるまで待機される。
【０１４０】
ステップＳ７９０９では上矢印キー５０２が操作されたか否かの判定を行い、上矢印キー５０２が操作された場合はステップＳ７９１０へ上矢印キー５０２以外が操作された場合はステップＳ７９１３へそれぞれ移行する。ステップＳ７９１０では現在のカーソル位置が第１階層Zoomメニューアイコン上か否かの判定を行い、第１階層Zoomメニューアイコン上の場合はステップＳ７９１１へ移行し、第１階層Zoomメニューアイコン上以外の場合はステップＳ７９１２へ移行する。
【０１４１】
ステップＳ７９１１では表示パネル１０７上の表示を示す立ち上げメニュー表示に戻すか否かの移行確認メニューが表示される。ここで、立ち上げメニュー表示に戻る場合は選択キー５０１を操作し、そうでない場合は下矢印キー５０３を操作することにより再度、第１階層のZoomメニューが表示される。ステップＳ７９１２ではカーソル位置を１つ上に移動し、ステップＳ７９０３へ移行し、再度、機能設定スイッチ１１９が操作されるまで待機される。ステップＳ７９１３では下矢印キー５０３が操作されたか否かを判定し、下矢印キー５０３が操作が操作された場合はステップＳ７９１４へ下矢印キー５０３以外が操作された場合はステップＳ７９１６へそれぞれ移行する。ステップＳ７９１４では現在のカーソル位置が下端か否かの判定を行い、カーソル位置が下端の場合はステップＳ７９０３へ移行し、再度、機能設定スイッチ１１９が操作されるまで待機される。カーソル位置が下端以外の場合はステップＳ７９１５へ移行する。ステップＳ７９１５ではカーソル位置を１つ下に移動し、Ｓ７９０３へ移行し、再度、機能設定スイッチ１１９が操作されるまで待機される。
【０１４２】
ステップＳ７９１６では左矢印キー５０４が操作されたか否かを判定し、左矢印キー５０４が操作された場合はステップＳ７９１７へ左矢印キー５０４以外が操作された場合はステップＳ７９２３へそれぞれ移行する。ステップＳ７９１７では現在のカーソル位置が第１階層Zoomメニューか否かの判定を行い、カーソル位置が第１階層Zoomメニュー上の場合はステップＳ７９１８へ移行し、カーソル位置が第１階層Zoomメニュー上以外の場合はステップＳ７９１９へ移行する。ステップＳ７９１８では第１階層Irisメニューへ移行する。ステップＳ７９１９では現在のカーソル位置がCurveModeか否かの判定を行い、現在のカーソル位置がCurveModeの場合はステップＳ７９０３へ移行し、再度、機能設定スイッチ１１９が操作されるまで待機される。現在のカーソル位置がCurveMode以外の場合はステップＳ７９２０へ移行する。
【０１４３】
ステップＳ７９２０では現在のカーソル位置がMoveModeか否かの判定を行い、現在のカーソル位置がMoveModeの場合はステップＳ７９０３へ移行し、再度、機能設定スイッチ１１９が操作されるまで待機される。現在のカーソル位置がMoveMode以外の場合はステップＳ７９２１へ移行する。
【０１４４】
ステップＳ７９２１では現在のカーソル位置がSpeedVRか否かの判定を行い、現在のカーソル位置がSpeedVRの場合はステップＳ７９０３へ移行し、再度、機能設定スイッチ１１９が操作されるまで待機される。現在のカーソル位置がSpeedVR以外の場合はステップＳ７９２２へ移行する。ステップＳ７９２２では現在のカーソル位置の各機能が変更され、ステップＳ７９０３へ移行し、再度、機能設定スイッチ１１９が操作されるまで待機される。
【０１４５】
ステップＳ７９２３では現在のカーソル位置が第１階層Zoomメニューか否かの判定を行い、カーソル位置が第１階層Zoomメニュー上の場合はステップＳ７９２４へ移行し、カーソル位置が第１階層Zoomメニュー上以外の場合はステップＳ７９２５へ移行する。ステップＳ７９２４では第１階層Irisメニューへ移行する。ステップＳ７９２５では現在のカーソル位置がCurveModeか否かの判定を行い、現在のカーソル位置がCurveModeの場合はステップＳ７９０３へ移行し、再度、機能設定スイッチ１１９が操作されるまで待機される。現在のカーソル位置がCurveMode以外の場合はステップＳ７９２６へ移行する。
【０１４６】
ステップＳ７９２６では現在のカーソル位置がMoveModeか否かの判定を行い、現在のカーソル位置がMoveModeの場合はステップＳ７９０３へ移行し、再度、機能設定スイッチ１１９が操作されるまで待機される。現在のカーソル位置がMoveMode以外の場合はステップＳ７９２７へ移行する。
【０１４７】
ステップＳ７９２７では現在のカーソル位置がSpeedVRか否かの判定を行い、現在のカーソル位置がSpeedVRの場合はステップＳ７９０３へ移行し、再度、機能設定スイッチ１１９が操作されるまで待機される。現在のカーソル位置がSpeedVR以外の場合はステップＳ７９２８へ移行する。ステップＳ７９２８では現在のカーソル位置の各機能が変更され、ステップＳ７９０３へ移行し、再度、機能設定スイッチ１１９が操作されるまで待機される。
【０１４８】
図８８は第３階層Zoom CurveMode機能メニューの操作フローであり、ステップＳ８８０１では表示パネル１１８の表示を図８９に示すように更新される。ステップＳ８８０２ではカーソル位置を第３階層Zoom CurveMode上にセットされる。
【０１４９】
ステップＳ８８０３では機能設定スイッチ１１９が操作されるまで待機される。４つの矢印キー５０２から５０５または選択キー５０１のいずれかが操作されるとステップＳ８８０４に移行する。ステップＳ８８０４では選択キー５０１が操作されたか否かの判定を行い、選択キー５０１が操作された場合はステップＳ８８０５へ選択キー５０１以外が操作された場合はステップＳ８８０６へ移行する。ステップＳ８８０５では第２階層Zoom機能メニューに移行される。ステップＳ８８０６では上矢印キー５０２が操作されたか否かの判定を行い、上矢印キー５０２が操作された場合はステップＳ８８０７へ上矢印キー５０２以外が操作された場合はステップＳ８８１０へそれぞれ移行する。ステップＳ８８０７では現在のカーソル位置が上端か否かの判定を行い、現在のカーソル位置が上端の場合はステップＳ８８０８へ移行し、現在のカーソル位置が上端以外の場合はステップＳ８８０９へ移行する。ステップＳ８８０８では第２階層Zoom機能設定メニューに移行する。ステップＳ８８０９ではカーソル位置を１つ上に移動し、ステップＳ８８０３へ移行し、再度、機能設定スイッチ１１９が操作されるまで待機される。ステップＳ８８１０では下矢印キー５０３が操作されたか否かを判定し、下矢印キー５０３が操作が操作された場合はステップＳ８８１１へ下矢印キー５０３以外が操作された場合はステップＳ８８１３へそれぞれ移行する。ステップＳ８８１１では現在のカーソル位置が下端か否かの判定を行い、カーソル位置が下端の場合はステップＳ８８０３へ移行し、再度、機能設定スイッチ１１９が操作されるまで待機される。カーソル位置が下端以外の場合はステップＳ８８１２へ移行する。ステップＳ８８１２ではカーソル位置を１つ下に移動し、Ｓ８８０３へ移行し、再度、機能設定スイッチ１１９が操作されるまで待機される。ステップＳ８８１３では左矢印キー５０４が操作されたか否かを判定し、左矢印キー５０４が操作された場合はステップＳ８８１４へ左矢印キー５０４以外が操作された場合はステップＳ８８１８へそれぞれ移行する。ステップＳ８８１４では現在のカーソル位置が第３階層Zoom CurveModeメニューか否かの判定を行い、カーソル位置が第１階層Zoom CurveModeメニュー上の場合はステップＳ８８０３へ移行し、再度、機能設定スイッチ１１９が操作されるまで待機される。カーソル位置が第３階層Zoom CurveModeメニュー上以外の場合はステップＳ８８１５へ移行する。ステップＳ８８１５では現在のカーソル位置がSeesawか否かの判定を行い、現在のカーソル位置がSeesawの場合はステップS8816へ移行し、現在のカーソル位置がSeesaw以外の場合はステップＳ８８１７へそれぞれ移行する。
【０１５０】
ステップＳ８８１６では図９０に示すようにズームシーソーのカーブ特性を変更し、ステップＳ８８０３へ移行し、再度、機能設定スイッチ１１９が操作されるまで待機される。ステップＳ８８１７では図９１に示すようにデマンドのカーブ特性を変更し、ステップＳ８８０３へ移行し、再度、機能設定スイッチ１１９が操作されるまで待機される。
【０１５１】
ステップＳ８８１８では現在のカーソル位置が第３階層Zoom CurveModeメニューか否かの判定を行い、カーソル位置が第１階層Zoom CurveModeメニュー上の場合はステップＳ８８０３へ移行し、再度、機能設定スイッチ１１９が操作されるまで待機される。カーソル位置が第３階層Zoom CurveModeメニュー上以外の場合はステップＳ８８１９へ移行する。ステップＳ８８１９では現在のカーソル位置がSeesawか否かの判定を行い、現在のカーソル位置がSeesawの場合はステップＳ８８２０へ移行し、現在のカーソル位置がSeesaw以外の場合はステップＳ８８２１へそれぞれ移行する。
【０１５２】
ステップＳ８８２０ではズームシーソーのカーブ特性を変更し、ステップＳ８８０３へ移行し、再度、機能設定スイッチ１１９が操作されるまで待機される。ステップＳ８８２１ではデマンドのカーブ特性を変更し、ステップＳ８８０３へ移行し、再度、機能設定スイッチ１１９が操作されるまで待機される。
【０１５３】
図９２は第３階層Zoom MoveMode機能メニューの操作フローであり、ステップＳ９２０１では表示パネル１１８の表示を図９３に示すように更新される。ステップＳ９２０２ではカーソル位置を第３階層Zoom MoveMode上にセットされる。
【０１５４】
ステップＳ９２０３では機能設定スイッチ１１９が操作されるまで待機される。４つの矢印キー５０２から５０５または選択キー５０１のいずれかが操作されるとステップＳ９２０４に移行する。ステップＳ９２０４では選択キー５０１が操作されたか否かの判定を行い、選択キー５０１が操作された場合はステップＳ９２０５へ選択キー５０１以外が操作された場合はステップＳ９２０６へ移行する。ステップＳ９２０５では第２階層Zoom機能メニューに移行される。ステップＳ９２０６では上矢印キー５０２が操作されたか否かの判定を行い、上矢印キー５０２が操作された場合はステップＳ９２０７へ上矢印キー５０２以外が操作された場合はステップＳ９２１０へそれぞれ移行する。ステップＳ９２０７では現在のカーソル位置が上端か否かの判定を行い、現在のカーソル位置が上端の場合はステップＳ９２０８へ移行し、現在のカーソル位置が上端以外の場合はステップＳ９２０９へ移行する。ステップＳ９２０８では第２階層Zoom機能設定メニューに移行する。
【０１５５】
ステップＳ９２０９ではカーソル位置を１つ上に移動し、ステップＳ８８０３へ移行し、再度、機能設定スイッチ１１９が操作されるまで待機される。ステップＳ９２１０では下矢印キー５０３が操作されたか否かを判定し、下矢印キー５０３が操作が操作された場合はステップＳ９２１１へ下矢印キー５０３以外が操作された場合はステップＳ９２１３へそれぞれ移行する。
【０１５６】
ステップＳ９２１１では現在のカーソル位置が下端か否かの判定を行い、カーソル位置が下端の場合はステップＳ９２０３へ移行し、再度、機能設定スイッチ１１９が操作されるまで待機される。カーソル位置が下端以外の場合はステップＳ９２１２へ移行する。ステップＳ９２１２ではカーソル位置を１つ下に移動し、Ｓ９２０３へ移行し、再度、機能設定スイッチ１１９が操作されるまで待機される。
【０１５７】
ステップＳ９２１３では左矢印キー５０４が操作されたか否かを判定し、左矢印キー５０４が操作された場合はステップＳ９２１４へ左矢印キー５０４以外が操作された場合はステップＳ９２１６へそれぞれ移行する。ステップＳ９２１４では現在のカーソル位置が第３階層Zoom MoveModeメニューか否かの判定を行い、カーソル位置が第３階層Zoom MoveModeメニュー上の場合はステップＳ９２０３へ移行し、再度、機能設定スイッチ１１９が操作されるまで待機される。カーソル位置が第３階層Zoom MoveModeメニュー上以外の場合はステップＳ９２１５へ移行する。
【０１５８】
ステップＳ９２１５では図９４から図９６に示すように現在のカーソル位置の特性（ズームの立ち上がり、停止、リミット設定）を変更し、ステップＳ９２０３へ移行し、再度、機能設定スイッチ１１９が操作されるまで待機される。
【０１５９】
ステップＳ９２１６では現在のカーソル位置が第３階層Zoom MoveModeメニューか否かの判定を行い、カーソル位置が第３階層Zoom MoveModeメニュー上の場合はステップＳ９２０３へ移行し、再度、機能設定スイッチ１１９が操作されるまで待機される。カーソル位置が第３階層Zoom MoveModeメニュー上以外の場合はステップＳ９２１７へ移行する。ステップＳ９２１７では現在のカーソル位置の特性を変更し、ステップＳ９２０３へ移行し、再度、機能設定スイッチ１１９が操作されるまで待機される。
【０１６０】
図９７は第３階層Zoom SpeedVR機能メニューの操作フローであり、ステップＳ９７０１では表示パネル１１８の表示を図９８に示すように更新される。ステップＳ９７０２ではカーソル位置を第３階層Zoom SpeedVR上にセットされる。
【０１６１】
ステップＳ９７０３では機能設定スイッチ１１９が操作されるまで待機される。４つの矢印キー５０２から５０５または選択キー５０１のいずれかが操作されるとステップＳ９７０４に移行する。ステップＳ９７０４では選択キー５０１が操作されたか否かの判定を行い、選択キー５０１が操作された場合はステップＳ９７０５へ選択キー５０１以外が操作された場合はステップＳ９７０６へ移行する。ステップＳ９７０５では第２階層Zoom機能メニューに移行される。
【０１６２】
ステップＳ９７０６では上矢印キー５０２が操作されたか否かの判定を行い、上矢印キー５０２が操作された場合はステップＳ９７０７へ上矢印キー５０２以外が操作された場合はステップＳ９７１０へそれぞれ移行する。ステップＳ９７０７では現在のカーソル位置が上端か否かの判定を行い、現在のカーソル位置が上端の場合はステップＳ９７０８へ移行し、現在のカーソル位置が上端以外の場合はステップＳ９７０９へ移行する。ステップＳ９７０８では第２階層Zoom機能設定メニューに移行する。
【０１６３】
ステップＳ９７０９ではカーソル位置を１つ上に移動し、ステップＳ９７０３へ移行し、再度、機能設定スイッチ１１９が操作されるまで待機される。ステップＳ９７１０では下矢印キー５０３が操作されたか否かを判定し、下矢印キー５０３が操作が操作された場合はステップＳ９７１１へ下矢印キー５０３以外が操作された場合はステップＳ９７１３へそれぞれ移行する。ステップＳ９７１１では現在のカーソル位置が下端か否かの判定を行い、カーソル位置が下端の場合はステップＳ９７０３へ移行し、再度、機能設定スイッチ１１９が操作されるまで待機される。
【０１６４】
カーソル位置が下端以外の場合はステップＳ９７１２へ移行する。ステップＳ９７１２ではカーソル位置を１つ下に移動し、Ｓ９７０３へ移行し、再度、機能設定スイッチ１１９が操作されるまで待機される。ステップＳ９７１３では左矢印キー５０４が操作されたか否かを判定し、左矢印キー５０４が操作された場合はステップＳ９７１４へ左矢印キー５０４以外が操作された場合はステップＳ９７２０へそれぞれ移行する。
【０１６５】
ステップＳ９７１４では現在のカーソル位置が第３階層Zoom SpeedVRメニューか否かの判定を行い、カーソル位置が第３階層Zoom SpeedVRメニュー上の場合はステップＳ９７０３へ移行し、再度、機能設定スイッチ１１９が操作されるまで待機される。カーソル位置が第３階層Zoom SpeedVRメニュー上以外の場合はステップＳ９７１５へ移行する。ステップＳ９７１５では現在のカーソル位置がMax上か否かの判定が行われ、現在のカーソル位置がMax上の場合はステップＳ９７１６へ現在のカーソル位置がMax上以外の場合はステップＳ９７１８へそれぞれ移行する。
【０１６６】
ステップＳ９７１６では現在のスピード設定値が最小か否かの判定が行われ、現在のスピード設定値が最小の場合はステップＳ９７０３へ移行し、再度、機能設定スイッチ１１９が操作されるまで待機される。現在のスピード設定値が最小でない場合はステップＳ９７１７へ移行する。ステップＳ９７１７では現在のスピード設定値を１つマイナスシフトし、ステップＳ９７０３へ移行し、再度、機能設定スイッチ１１９が操作されるまで待機される。ステップＳ９７１８では現在のスピード設定値が１か否かの判定が行われ、現在のスピード設定値が１の場合はステップＳ９７０３へ移行し、再度、機能設定スイッチ１１９が操作されるまで待機される。現在のスピード設定値が１以外の場合はステップＳ９７１９へ移行する。ステップＳ９７１９では現在のスピード設定値を１つマイナスシフトし、ステップＳ９７０３へ移行し、再度、機能設定スイッチ１１９が操作されるまで待機される。
【０１６７】
ステップＳ９７２０では現在のカーソル位置が第３階層Zoom SpeedVRメニューか否かの判定を行い、カーソル位置が第３階層Zoom SpeedVRメニュー上の場合はステップＳ９７０３へ移行し、再度、機能設定スイッチ１１９が操作されるまで待機される。カーソル位置が第３階層Zoom SpeedVRメニュー上以外の場合はステップＳ９７２１へ移行する。ステップＳ９７２１では現在のカーソル位置がMax上か否かの判定が行われ、現在のカーソル位置がMax上の場合はステップＳ９７２２へ現在のカーソル位置がMax上以外の場合はステップＳ９７２４へそれぞれ移行する。
【０１６８】
ステップＳ９７２２では現在のスピード設定値が９９か否かの判定が行われ、現在のスピード設定値が９９の場合はステップＳ９７０３へ移行し、再度、機能設定スイッチ１１９が操作されるまで待機される。現在のスピード設定値が９９でない場合はステップＳ９７２３へ移行する。ステップＳ９７２３では現在のスピード設定値を１つプラスシフトし、ステップＳ９７０３へ移行し、再度、機能設定スイッチ１１９が操作されるまで待機される。ステップＳ９７２４では現在のスピード設定値が最大か否かの判定が行われ、現在のスピード設定値が最大の場合はステップＳ９７０３へ移行し、再度、機能設定スイッチ１１９が操作されるまで待機される。
【０１６９】
現在のスピード設定値が最大でない場合はステップＳ９７２５へ移行する。ステップＳ９７２５では現在のスピード設定値を１つプラスシフトし、ステップＳ９７０３へ移行し、再度、機能設定スイッチ１１９が操作されるまで待機される。図９９および図１００に示すようにズームの最高速度および最低速度がそれぞれ設定可能となっている。
【０１７０】
図１０１は第１階層及び第２階層Focus機能メニューの操作フローであり、ステップＳ１０１０１では表示パネル１１８の表示を図７の７０７に示すように更新される。ステップＳ１０１０２ではカーソル位置を第１階層Focus機能アイコン上にセットされる。
【０１７１】
ステップＳ１０１０３では機能設定スイッチ１１９が操作されるまで待機される。４つの矢印キー５０２から５０５または選択キー５０１のいずれかが操作されるとステップＳ１０１０４に移行する。ステップＳ１０１０４では選択キー５０１が操作されたか否かの判定を行い、選択キー５０１が操作された場合はステップＳ１０１０５へ選択キー５０１以外が操作された場合はステップＳ１０１０７へ移行する。ステップＳ１０１０５では現在のカーソル位置がCurveMode上か否かの判定が行われ、現在のカーソル位置がCurveMode上の場合はステップＳ１０１０６へ現在のカーソル位置がCurveMode上以外の場合はステップＳ１０１０３へそれぞれ移行し、再度、機能設定スイッチ１１９が操作されるまで待機される。ステップＳ１０１０６では第３階層Focus機能メニューに移行される。ステップＳ１０１０７では上矢印キー５０２が操作されたか否かの判定を行い、上矢印キー５０２が操作された場合はステップＳ１０１０８へ上矢印キー５０２以外が操作された場合はステップＳ１０１１１へそれぞれ移行する。
【０１７２】
ステップＳ１０１０８では現在のカーソル位置が第１階層Focus機能アイコン上か否かの判定を行い、現在のカーソル位置が第１階層Focus機能アイコン上の場合はステップＳ１０１０９へ移行し、現在のカーソル位置が第１階層Focus機能アイコン上以外の場合はステップＳ１０１１０へ移行する。ステップＳ１０１０９では表示パネル１０７上の表示を示す立ち上げメニュー表示に戻すか否かの移行確認メニューが表示される。ここで、立ち上げメニュー表示に戻る場合は選択キー５０１を操作し、そうでない場合は下矢印キー５０３を操作することにより再度、第１階層のFocus機能メニューが表示される。
【０１７３】
ステップＳ１０１１０ではカーソル位置を１つ上に移動し、ステップＳ１０１０３へ移行し、再度、機能設定スイッチ１１９が操作されるまで待機される。ステップＳ１０１１１では下矢印キー５０３が操作されたか否かを判定し、下矢印キー５０３が操作が操作された場合はステップＳ１０１１２へ下矢印キー５０３以外が操作された場合はステップＳ１０１１４へそれぞれ移行する。ステップＳ１０１１２では現在のカーソル位置が下端か否かの判定を行い、カーソル位置が下端の場合はステップＳ１０１０３へ移行し、再度、機能設定スイッチ１１９が操作されるまで待機される。カーソル位置が下端以外の場合はステップＳ１０１１３へ移行する。
【０１７４】
ステップＳ１０１１３ではカーソル位置を１つ下に移動し、Ｓ１０１０３へ移行し、再度、機能設定スイッチ１１９が操作されるまで待機される。ステップＳ１０１１４では左矢印キー５０４が操作されたか否かを判定し、左矢印キー５０４が操作された場合はステップＳ１０１１５へ左矢印キー５０４以外が操作された場合はステップＳ１０１１７へそれぞれ移行する。ステップＳ１０１１５では現在のカーソル位置が第１階層Focus機能アイコン上か否かの判定を行い、現在のカーソル位置が第１階層Focus機能アイコン上の場合はステップＳ１０１１６へ移行し、現在のカーソル位置が第１階層Focus機能アイコン上以外の場合は、ステップＳ１０１０３へ移行し、再度、機能設定スイッチ１１９が操作されるまで待機される。
【０１７５】
ステップＳ１０１１６では第１階層Zoom機能メニューに移行する。
【０１７６】
ステップＳ１０１１７では現在のカーソル位置が第１階層Focus機能アイコン上か否かの判定を行い、現在のカーソル位置が第１階層Focus機能アイコン上の場合はステップＳ１０１１８へ移行し、現在のカーソル位置が第１階層Focus機能アイコン上以外の場合は、ステップＳ１０１０３へ移行し、再度、機能設定スイッチ１１９が操作されるまで待機される。ステップＳ１０１１８では第１階層Info機能メニューに移行する。
【０１７７】
図１０３は第３階層Focus CurveMode設定メニューの操作フローであり、ステップＳ１０３０１では表示パネル１１８の表示を図１０４に示すように更新される。ステップＳ１０３０２ではカーソル位置を第３階層Focus CurveMode上にセットされる。
【０１７８】
ステップＳ１０３０３では機能設定スイッチ１１９が操作されるまで待機される。４つの矢印キー５０２から５０５または選択キー５０１のいずれかが操作されるとステップＳ１０３０４に移行する。ステップＳ１０３０４では選択キー５０１が操作されたか否かの判定を行い、選択キー５０１が操作された場合はステップＳ１０３０５へ選択キー５０１以外が操作された場合はステップＳ１０３０６へ移行する。ステップＳ１０３０５では第２階層Focus機能メニューに移行される。ステップＳ１０３０６では上矢印キー５０２が操作されたか否かの判定を行い、上矢印キー５０２が操作された場合はステップＳ１０３０７へ上矢印キー５０２以外が操作された場合はステップＳ１０３１０へそれぞれ移行する。ステップＳ１０３０７では現在のカーソル位置が上端か否かの判定を行い、現在のカーソル位置が上端の場合はステップＳ１０３０８へ移行し、現在のカーソル位置が上端以外の場合はステップＳ１０３０９へ移行する。
【０１７９】
ステップＳ１０３０８では第２階層Focus機能設定メニューに移行する。ステップＳ１０３０９ではカーソル位置を１つ上に移動し、ステップＳ１０３０３へ移行し、再度、機能設定スイッチ１１９が操作されるまで待機される。ステップＳ１０３１０では下矢印キー５０３が操作されたか否かを判定し、下矢印キー５０３が操作が操作された場合はステップＳ１０３１１へ下矢印キー５０３以外が操作された場合はステップＳ１０３１３へそれぞれ移行する。ステップＳ１０３１１では現在のカーソル位置が下端か否かの判定を行い、カーソル位置が下端の場合はステップＳ１０３０３へ移行し、再度、機能設定スイッチ１１９が操作されるまで待機される。カーソル位置が下端以外の場合はステップＳ１０３１２へ移行する。ステップＳ１０３１２ではカーソル位置を１つ下に移動し、Ｓ１０３０３へ移行し、再度、機能設定スイッチ１１９が操作されるまで待機される。ステップＳ１０３１３では左矢印キー５０４が操作されたか否かを判定し、左矢印キー５０４が操作された場合はステップＳ１０３１４へ左矢印キー５０４以外が操作された場合はステップＳ１０３１７へそれぞれ移行する。ステップＳ１０３１４では現在のカーソル位置が第３階層Focus CurveModeメニュー上か否かの判定を行い、カーソル位置が第３階層Focus CurveModeメニュー上の場合はステップＳ１０３０３へ移行し、再度、機能設定スイッチ１１９が操作されるまで待機される。カーソル位置が第３階層Focus CurveModeメニュー上以外の場合はステップＳ１０３１５へ移行する。ステップＳ１０３１５では現在のフォーカスデマンドカーブ特性が１か否かの判定を行い、現在のフォーカスデマンドカーブ特性が１の場合は、ステップＳ１０３０３へ移行し、再度、機能設定スイッチ１１９が操作されるまで待機される。現在のフォーカスデマンドカーブ特性が１以外の場合は、ステップＳ１０３１６へ移行する。ステップＳ１０３１６では現在のフォーカスデマンドカーブ特性を１つマイナスシフトし、ステップＳ１０３０３へ移行し、再度、機能設定スイッチ１１９が操作されるまで待機される。
【０１８０】
ステップＳ１０３１７では現在のカーソル位置が第３階層Focus CurveModeメニュー上か否かの判定を行い、カーソル位置が第３階層Focus CurveModeメニュー上の場合はステップＳ１０３０３へ移行し、再度、機能設定スイッチ１１９が操作されるまで待機される。カーソル位置が第３階層Focus CurveModeメニュー上以外の場合はステップＳ１０３１７へ移行する。ステップＳ１０３１７では現在のフォーカスデマンドカーブ特性が１か否かの判定を行い、現在のフォーカスデマンドカーブ特性が１の場合は、ステップＳ１０３０３へ移行し、再度、機能設定スイッチ１１９が操作されるまで待機される。現在のフォーカスデマンドカーブ特性が１以外の場合は、ステップＳ１０３１９へ移行する。ステップＳ１０３１９では現在のフォーカスデマンドカーブ特性を１つプラスシフトし、ステップＳ１０３０３へ移行し、再度、機能設定スイッチ１１９が操作されるまで待機される。
【０１８１】
図１０６は第１階層及び第２階層Info機能メニューの操作フローであり、ステップＳ１０６０１では表示パネル１１８の表示を図７の７０８に示すように更新される。ステップＳ１０６０２ではカーソル位置を第１階層Info機能アイコン上にセットされる。
【０１８２】
ステップＳ１０６０３では機能設定スイッチ１１９が操作されるまで待機される。４つの矢印キー５０２から５０５または選択キー５０１のいずれかが操作されるとステップＳ１０６０４に移行する。ステップＳ１０６０４では選択キー５０１が操作されたか否かの判定を行い、選択キー５０１が操作された場合はステップＳ１０６０５へ選択キー５０１以外が操作された場合はステップＳ１０６０９へ移行する。ステップＳ１０６０５では現在のカーソル位置が第２階層か否かの判定が行われ、現在のカーソル位置が第２階層の場合はステップＳ１０６０６へ現在のカーソル位置が第２階層以外の場合はステップＳ１０６０３へそれぞれ移行し、再度、機能設定スイッチ１１９が操作されるまで待機される。ステップＳ１０６０６では現在のカーソル位置が第２階層Time上か否かの判定が行われ、現在のカーソル位置が第２階層Time上の場合はステップＳ１０６０３へそれぞれ移行し、再度、機能設定スイッチ１１９が操作されるまで待機される。現在のカーソル位置が第２階層Time上以外の場合はステップＳ１０６０７へ移行する。ステップＳ１０６０７では現在のカーソル位置が第２階層U-Mode上か否かの判定が行われ、現在のカーソル位置が第２階層U-Mode上の場合はステップＳ１０６０３へそれぞれ移行し、再度、機能設定スイッチ１１９が操作されるまで待機される。現在のカーソル位置が第２階層U-Mode上以外の場合はステップＳ１０６０８へ移行する。ステップＳ１０６０８では第３階層Infoメニューへ移行する。ステップＳ１０６０９では上矢印キー５０２が操作されたか否かの判定を行い、上矢印キー５０２が操作された場合はステップＳ１０６１０へ上矢印キー５０２以外が操作された場合はステップＳ１０６１３へそれぞれ移行する。ステップＳ１０６１０では現在のカーソル位置が第１階層Info機能アイコン上か否かの判定を行い、現在のカーソル位置が第１階層Info機能アイコン上の場合はステップＳ１０６１１へ移行し、現在のカーソル位置が第１階層Info機能アイコン上以外の場合はステップＳ１０６１２へ移行する。ステップＳ１０６１１では表示パネル１０７上の表示を示す立ち上げメニュー表示に戻すか否かの移行確認メニューが表示される。ここで、立ち上げメニュー表示に戻る場合は選択キー５０１を操作し、そうでない場合は下矢印キー５０３を操作することにより再度、第１階層のInfo機能メニューが表示される。ステップＳ１０６１２ではカーソル位置を１つ上に移動し、ステップＳ１０６０３へ移行し、再度、機能設定スイッチ１１９が操作されるまで待機される。ステップＳ１０６１３では下矢印キー５０３が操作されたか否かを判定し、下矢印キー５０３が操作が操作された場合はステップＳ１０６１４へ下矢印キー５０３以外が操作された場合はステップＳ１０６１６へそれぞれ移行する。ステップＳ１０６１４では現在のカーソル位置が下端か否かの判定を行い、カーソル位置が下端の場合はステップＳ１０６０３へ移行し、再度、機能設定スイッチ１１９が操作されるまで待機される。カーソル位置が下端以外の場合はステップＳ１０６１５へ移行する。ステップＳ１０６１５ではカーソル位置を１つ下に移動し、Ｓ１０６０３へ移行し、再度、機能設定スイッチ１１９が操作されるま���待機される。ステップＳ１０６１６では左矢印キー５０４が操作されたか否かを判定し、左矢印キー５０４が操作された場合はステップＳ１０６１７へ左矢印キー５０４以外が操作された場合はステップＳ１０６１９へそれぞれ移行する。ステップＳ１０６１７では現在のカーソル位置が第１階層Info機能アイコン上か否かの判定を行い、現在のカーソル位置が第１階層Info機能アイコン上の場合はステップＳ１０６１８へ移行し、現在のカーソル位置が第１階層Info機能アイコン上以外の場合は、ステップＳ１０６０３へ移行し、再度、機能設定スイッチ１１９が操作されるまで待機される。ステップＳ１０６１８では第１階層Focus機能メニューに移行する。
【０１８３】
ステップＳ１０６１９では現在のカーソル位置が第１階層Info機能アイコン上か否かの判定を行い、現在のカーソル位置が第１階層Info機能アイコン上の場合はステップＳ１０６２０へ移行し、現在のカーソル位置が第１階層Info機能アイコン上以外の場合は、ステップＳ１０６０３へ移行し、再度、機能設定スイッチ１１９が操作されるまで待機される。ステップＳ１０６２０では第１階層Fol.機能メニューに移行する。
【０１８４】
図１１１は第３階層Info NameおよびInfo Soft表示メニューの操作フローであり、ステップＳ１１１０１では表示パネル１１８の表示を図１１２および図１１３に示すように更新される。ステップＳ１１１０２ではカーソル位置を第３階層Info タイトル上にセットされる。
【０１８５】
ステップＳ１１１０３では機能設定スイッチ１１９が操作されるまで待機される。４つの矢印キー５０２から５０５または選択キー５０１のいずれかが操作されるとステップＳ１１１０４に移行する。ステップＳ１１１０４では選択キー５０１が操作されたか否かの判定を行い、選択キー５０１が操作された場合はステップＳ１１１０６へ選択キー５０１以外が操作された場合はステップＳ１１１０５へ移行する。ステップＳ１１１０５では上矢印キー５０２が操作されたか否かの判定を行い、上矢印キー５０２が操作された場合はステップＳ１１１０６へ上矢印キー５０２以外が操作された場合はステップＳ１１１０３へそれぞれ移行し、再度、機能設定スイッチ１１９が操作されるまで待機される。ステップＳ１１１０６では第２階層Infoメニューへ移行する。
【０１８６】
図１１４は第３階層Info Test設定メニューの操作フローであり、ステップＳ１１４０１では表示パネル１１８の表示を図１１５に示すように更新される。ステップＳ１１４０２ではカーソル位置を第３階層Info Test上にセットされる。
【０１８７】
ステップＳ１１４０３では機能設定スイッチ１１９が操作されるまで待機される。４つの矢印キー５０２から５０５または選択キー５０１のいずれかが操作されるとステップＳ１１４０４に移行する。ステップＳ１１４０４では選択キー５０１が操作されたか否かの判定を行い、選択キー５０１が操作された場合はステップＳ１１４０５へ選択キー５０１以外が操作された場合はステップＳ１１４０８へ移行する。ステップＳ１１４０５では現在のTestモード設定がYESかNOかの判定を行い、Testモード設定がYESの場合はステップＳ１１４０６へTestモード設定がNOの場合はステップＳ１１４０７へそれぞれ移行する。ステップＳ１１４０６ではレンズの自己診断を実施し、ステップＳ１１４０７へ移行する。ステップＳ１１４０７では第２階層Infoメニューへ移行する。
【０１８８】
ステップＳ１１４０８では上矢印キー５０２が操作されたか否かの判定を行い、上矢印キー５０２が操作された場合はステップＳ１１４０９へ上矢印キー５０２以外が操作された場合はステップＳ１１４１２へそれぞれ移行する。ステップＳ１１４０９では現在のカーソル位置が上端か否かの判定を行い、現在のカーソル位置が上端の場合はステップＳ１１４１０へ移行し、現在のカーソル位置が上端以外の場合はステップＳ１１４１１へ移行する。ステップＳ１１４１０では第２階層Info機能設定メニューに移行する。ステップＳ１１４１１ではカーソル位置を１つ上に移動し、ステップＳ１１４０３へ移行し、再度、機能設定スイッチ１１９が操作されるまで待機される。ステップＳ１１４１２では下矢印キー５０３が操作されたか否かを判定し、下矢印キー５０３が操作が操作された場合はステップＳ１１４１３へ下矢印キー５０３以外が操作された場合はステップＳ１１４１５へそれぞれ移行する。ステップＳ１１４１３では現在のカーソル位置が下端か否かの判定を行い、カーソル位置が下端の場合はステップＳ１１４０３へ移行し、再度、機能設定スイッチ１１９が操作されるまで待機される。カーソル位置が下端以外の場合はステップＳ１１４１４へ移行する。ステップＳ１１４１４ではカーソル位置を１つ下に移動し、Ｓ１１４０３へ移行し、再度、機能設定スイッチ１１９が操作されるまで待機される。ステップＳ１１４１５では左矢印キー５０４が操作されたか否かを判定し、左矢印キー５０４が操作された場合はステップＳ１１４１６へ左矢印キー５０４以外が操作された場合はステップＳ１１４１８へそれぞれ移行する。ステップＳ１１４１６では現在のカーソル位置が第３階層Info Testメニュー上か否かの判定を行い、カーソル位置が第３階層Info Testメニュー上の場合はステップＳ１１４０３へ移行し、再度、機能設定スイッチ１１９が操作されるまで待機される。カーソル位置が第３階層Info Testメニュー上以外の場合はステップＳ１１４１７へ移行する。ステップＳ１１４１７ではTestモードをYESに設定後、ステップＳ１１４０３へ移行し、再度、機能設定スイッチ１１９が操作されるまで待機される。
【０１８９】
ステップＳ１１４１８では現在のカーソル位置が第３階層Info Testメニュー上か否かの判定を行い、カーソル位置が第３階層Info Testメニュー上の場合はステップＳ１１４０３へ移行し、再度、機能設定スイッチ１１９が操作されるまで待機される。カーソル位置が第３階層Info Testメニュー上以外の場合はステップＳ１１４１９へ移行する。ステップＳ１１４１９ではTestモードをNOに設定後、ステップＳ１１４０３へ移行し、再度、機能設定スイッチ１１９が操作されるまで待機される。
【０１９０】
上記、図１０９のInfo Time表示はレンズの電源投入時間を計測し表示しているもので、ユーザのレンズの使用頻度によらずにメンテナンスの時期を確認することが出来る。
【０１９１】
また、図１１２および図１１３は現レンズの名称およびソフトウェアのバージョン等を把握することができる。
【０１９２】
図１１９は第１階層及び第２階層Fol.表示メニューの操作フローであり、ステップＳ１１９０１では表示パネル１１８の表示を図７の７０９に示すように更新される。ステップＳ１１９０２ではカーソル位置を第１階層Fol.機能アイコン上にセットされる。
【０１９３】
ステップＳ１１９０３では機能設定スイッチ１１９が操作されるまで待機される。４つの矢印キー５０２から５０５または選択キー５０１のいずれかが操作されるとステップＳ１１９０４に移行する。ステップＳ１１９０４では選択キー５０１が操作されたか否かの判定を行い、選択キー５０１が操作された場合はステップＳ１１９０３へ移行し、再度、機能設定スイッチ１１９が操作されるまで待機される。選択キー５０１以外が操作された場合はステップＳ１１９０５へ移行する。ステップＳ１１９０５では上矢印キー５０２が操作されたか否かの判定を行い、上矢印キー５０２が操作された場合はステップＳ１１９０６へ上矢印キー５０２以外が操作された場合はステップＳ１１９０７へそれぞれ移行する。ステップＳ１１９０６では表示パネル１１８上の表示を示す立ち上げメニュー表示に戻すか否かの移行確認メニューが表示される。ここで、立ち上げメニュー表示に戻る場合は選択キー５０１を操作し、そうでない場合は下矢印キー５０３を操作することにより再度、第１階層のFol.表示メニューが表示される。
【０１９４】
ステップＳ１１９０７では下矢印キー５０３が操作されたか否かを判定し、下矢印キー５０３が操作が操作された場合はステップＳ１１９０３へ移行し、再度、機能設定スイッチ１１９が操作されるまで待機される。下矢印キー５０３以外が操作された場合はステップＳ１１９０８へ移行する。ステップＳ１１９０８では左矢印キー５０４が操作されたか否かを判定し、左矢印キー５０４が操作された場合はステップＳ１１９０９へ左矢印キー５０４以外が操作された場合はステップＳ１１９１０へそれぞれ移行する。ステップＳ１１９０９では第１階層Info機能メニューへ移行する。ステップＳ１１９１０では第１階層User機能メニューへ移行する。上記、図１２０の第１階層のFol.表示メニューは図１の１０３のフォーカス位置検出手段、１０７のズーム位置検出手段および１１１のアイリス位置検出手段からの現在位置情報を表示している。
【０１９５】
次に、図６および図１２１から図１３４をもとに立ち上げメニューについて説明する。
【０１９６】
図１２１から図１３４は表示パネル１１８に表示される表示フローの一例である。
【０１９７】
立ち上げメニュー上には各第１階層機能メニューを表示するためのMenu機能の他に複数の各機能設定メニューのショートカットを配置している。階層構造化された各機能メニューにおいて、頻繁に設定変更または設定確認を必要とされている機能を立ち上げメニュー上に配置することによって、１回の操作で下階層までアクセス可能な構成となっている。
【０１９８】
例えば、図１３１において立ち上げメニュー上のI-Gain（Iris Gain）にカーソルを合わせ、選択キー５０１を操作することによって、第３階層Iris Gainメニューが即座に表示可能となっている。
【０１９９】
図６においてステップＳ６０８にて例えば、図１２２ではZ.Mにカーソルがあわせてあるため、第３階層ZoomCurveModeメニューが表示される。ステップＳ６０９では上矢印キー５０２が操作されたか否かの判定を行い、上矢印キー５０２が操作された場合はステップＳ６１０へ上矢印キー５０２以外が操作された場合はステップＳ６１２へそれぞれ移行する。ステップＳ６１０では現在のカーソル位置が上端か否かの判定を行い、現在のカーソル位置が上端の場合は、ステップＳ６０４移行し、再度、機能設定スイッチ１１９が操作されるまで待機される。現在のカーソル位置が上端以外の場合はステップＳ６１１へ移行する。ステップＳ６１１ではカーソルを１つ上に移動し、ステップＳ６０４移行し、再度、機能設定スイッチ１１９が操作されるまで待機される。ステップＳ６１２では下矢印キー５０３が操作されたか否かを判定し、下矢印キー５０３が操作が操作された場合はステップＳ６１３へ移行し、下矢印キー５０３以外が操作された場合はステップＳ６１５へ移行する。ステップＳ６１３では現在のカーソル位置が下端か否かの判定を行い、現在のカーソル位置が下端の場合は、ステップＳ６０４へ移行し、再度、機能設定スイッチ１１９が操作されるまで待機される。現在のカーソル位置が下端以外の場合はステップＳ６１４に移行する。ステップＳ６１４では、カーソルを１つ下に移動し、ステップＳ６０４へ移行し、再度、機能設定スイッチ１１９が操作されるまで待機される。ステップＳ６１５では左矢印キー５０４が操作されたか否かを判定し、左矢印キー５０４が操作された場合はステップＳ６１６へ左矢印キー５０４以外が操作された場合はステップＳ６１８へそれぞれ移行する。ステップＳ６１６では現在のカーソル位置が左端か否かの判定を行い、現在のカーソル位置が左端の場合はステップＳ６０４へ移行し、再度、機能設定スイッチ１１９が操作されるまで待機される。現在のカーソル位置が左端以外の場合は、ステップＳ６１７へ移行する。ステップＳ６１７ではカーソルの位置を１つ左に移動し、ステップＳ６０４へ移行し、再度、機能設定スイッチ１１９が操作されるまで待機される。ステップＳ６１８では現在のカーソル位置が右端か否かの判定が行われ、現在のカーソル位置が右端の場合は、ステップＳ６０４へ移行し、再度、機能設定スイッチ１１９が操作されるまで待機される。現在のカーソル位置が右端以外の場合はステップＳ６１９へ移行する。ステップＳ６１９ではカーソル位置を１つ右に移動し、ステップＳ６０４へ移行し、再度、機能設定スイッチ１１９が操作されるまで待機される。
【０２００】
本実施例では、図１２１から図１３４に示すような各機能を立ち上げメニュー内にカスタマイズしているが、すべての階層にわたる機能設定を立ち上げメニュー内にカスタマイズ可能なことは言うまでもない。
【０２０１】
このように、ＴＶレンズにレンズの動作特性に関わる機能を設定するための表示パネル１１８と機能設定スイッチ１１９を設けることにより、従来のレンズのようにドライブユニットに設けたゴムキャップを外してドライブユニット内部のディップスイッチで設定するという煩雑な操作から解放される。また表示パネルの文字情報に沿って機能の設定ができるので、判りやすく操作性に優れた機能設定が可能となり、同時に暗い環境下においても容易に設定状況を視認することができる。さらに、複数のカメラマンが一台の撮影機材を共有するＴＶレンズ特有の使用環境においても、複数の機能設定を記憶手段に記憶できるため撮影状況に応じた機能設定が容易にでき、かつ前に使用したカメラマンの設定状況を容易かつ瞬時に把握することができるので、機能の設定状況を把握せずに使用して思わぬトラブルに陥る危険を回避することができる。
【０２０２】
本実施例では、機能設定スイッチに十字キーを用いた例について述べたが、ジョグシャトルスイッチ等、表示パネルの表示フローに沿って機能が設定できるものであれば如何なる設定スイッチでも構うものではない。
【０２０３】
さらに、実施例では表示パネルと機能設定スイッチをドライブユニットに設けたが、レンズ本体とドライブユニットから構成されるＴＶレンズのどの部位に配置しても構うものではない。
【０２０４】
このようなレンズの機能設定手段及び表示手段を、アクセサリーとして別途ケーブルを介してドライブユニットに接続する形態も考えられるが、テレビ撮影は撮影状況に応じて撮影機材を三脚に設置することもあれば、肩に担ぐこともあることから、カメラマンは機動性を考慮して必要最小限の機材構成を現場に持ち込むことを望み、上記設定手段をアクセサリーとして設けるのでなく、ＴＶレンズに常に具備する構成が望ましい姿である。またアクセサリーとして別ユニットで構成することと比較すると、トータルのコストを抑えることができる利点もある。
【０２０５】
［本発明の実施態様］
本発明の様々な例と実施形態が示され説明されたが、当業者であれば、本発明の趣旨と範囲は本明細書内の特定の説明と図に限定されるのではなく、本願特許請求の範囲に全て述べられた様々の修正と変更に及ぶことが理解されるであろう。
【０２０６】
本発明の実施態様の例を以下に列挙する。
【０２０７】
「実施態様１」
少なくとも光学素子の駆動を司る複数の機能の初期設定値が蓄積され且つ前記初期設定値が書き換え不可能な初期設定データと、前記初期設定データから引き出された複数の機能の初期設定値を基に書き換えられたユーザー設定値が蓄積され且つ書き換え可能なユーザー設定データと、を有することを特徴とする光学装置。
【０２０８】
「実施態様２」
前記ユーザー設定データを複数有する実施態様１記載の光学装置。
【０２０９】
「実施態様３」
前記複数のユーザー設定データのうち、第１のユーザー設定データに蓄積されたユーザー設定値が第２のユーザー設定データのユーザー設定値に移行可能である実施態様２記載の光学装置。
【０２１０】
「実施態様４」
実施態様１〜３のいづれか一項記載の光学装置のユーザー設定データに蓄積されたユーザー設定値が別の光学装置のユーザー設定データのユーザー設定値に移行可能である光学装置。
【０２１１】
「実施態様５」
前記ユーザー設定データは前記初期設定データに初期化可能である実施態様１〜４のいづれか一項記載の光学装置。
【０２１２】
「実施態様６」
表示器と、前記表示器の電源投入時に最初に表示される立上げメニューと、光学素子の駆動を司る機能の設定値の変更が可能な設定変更アイコンを有する設定変更メニューと、を備え、
前記設定変更アイコンが前記立上げメニュー内に表示されていることを特徴とする光学装置。
【０２１３】
「実施態様７」
前記設定変更アイコンはアイリスのゲインを変更するゲイン設定変更アイコンである実施態様６記載の光学装置。
【０２１４】
「実施態様８」
表示器と、前記表示器の電源投入時に最初に表示される立上げメニューと、光学素子の駆動を司る複数の機能の選択が可能な機能選択メニューと、前記光学素子の駆動を司る機能の設定値の変更が可能な設定変更メニューと、を備え、
前記立上げメニューから前記設定変更メニューへの移行は前記機能選択メニューを介して行われることを特徴とする光学装置。
【０２１５】
「実施態様９」
前記機能選択メニューはアイリス機能選択メニューであり、前記設定変更メニューはアイリスのゲインを変更するゲイン設定変更メニューである実施態様８記載の光学装置。
【０２１６】
「実施態様１０」
表示器と、光学素子の駆動を司る複数の機能の選択が可能な第１の機能選択メニューと、第１の機能選択メニューから移行され且つ前記光学素子の駆動を司る機能の設定値の変更が可能な第１の設定変更メニューと、を備え、第１の設定変更メニューから第１の機能選択メニューとは異なる第２の機能選択メニューに移行不可能であることを特徴とする光学装置。
【０２１７】
「実施態様１１」
第１の機能選択メニューはアイリス機能選択メニューであり、第１の設定変更メニューはアイリスのゲインを変更するゲイン設定変更メニューであり、第２の機能選択メニューはズーム機能選択メニューである実施態様１０記載の光学装置。
【０２１８】
「実施態様１２」
更に、前記表示器の電源投入時に最初に表示される立上げメニューを有する光学装置。
【０２１９】
「実施態様１３」
表示器と、前記表示器の電源投入時に最初に表示される立上げメニューと、前記立上げメニューから移行され且つ光学素子の駆動を司る複数の機能の選択が可能な第１の機能選択メニューと、前記立上げメニューからユーザーのデータを司る複数の機能の選択が可能なユーザー機能選択メニューと、を備え、
更に、第１の機能選択メニューから前記立上げメニューへの移行の間に介在する移行確認メニューを備え、
第１の機能選択メニューから前記移行確認メニューに移行した場合、前記移行確認メニューから第１の機能選択メニューへの逆行は可能であるが、前記移行確認メニューから前記ユーザー機能選択メニューへの移行は不可能であることを特徴とする光学装置。
【０２２０】
「実施態様１４」
更に、第１の機能選択メニューから移行され且つ前記光学素子の駆動を司る機能の設定値の変更が可能な第１の設定変更メニューを有する実施態様１３記載の光学装置。
【０２２１】
「実施態様１５」
第１の機能選択メニューはアイリス機能選択メニューであり、第１の設定変更メニューはアイリスのゲインを変更するゲイン設定変更メニューである実施態様１４記載の光学装置。
【０２２２】
「実施態様１６」
表示器と、前記表示器の電源投入時に最初に表示される立上げメニューと、前記立上げメニューから移行され且つ光学素子の駆動を司る複数の機能の選択が可能な第１の機能選択メニューと、第１の機能選択メニューと異なる第２の機能選択メニューと、を備え、
更に、第１の機能選択メニューから前記立上げメニューへの移行の間に介在する移行確認メニューを備え、
第１の機能選択メニューから前記移行確認メニューに移行した場合、前記移行確認メニューから第１の機能選択メニューへの逆行は可能であるが、前記移行確認メニューから第２の機能選択メニューへの移行は不可能であることを特徴とする光学装置。
【０２２３】
「実施態様１７」
更に、第１の機能選択メニューから移行され且つ前記光学素子の駆動を司る機能の設定値の変更が可能な第１の設定変更メニューを有する実施態様１６記載の光学装置。
【０２２４】
「実施態様１８」
第１の機能選択メニューはアイリス機能選択メニューであり、第１の設定変更メニューはアイリスのゲインを変更するゲイン設定変更メニューであり、第２の機能選択メニューはズーム機能選択メニューである実施態様１６記載の光学装置。
【０２２５】
「実施態様１９」
表示器と、前記表示器の電源投入時に最初に表示される立上げメニューと、前記立上げメニューから移行され且つ光学素子の駆動を司る複数の機能の選択が可能な第１の機能選択メニューと、前記立上げメニューからユーザーのデータを司る複数の機能の選択が可能なユーザー機能選択メニューと、を備え、
更に、前記立上げメニューから第１の機能選択メニューへの移行は、前記ユーザー機能選択メニューを介して行われ、
前記立上げメニューから前記第１の機能選択メニューへの直接の移行は不可能であることを特徴とする光学装置。
【０２２６】
「実施態様２０」
更に、第１の機能選択メニューから移行され且つ前記光学素子の駆動を司る機能の設定値の変更が可能な第１の設定変更メニューを有する実施態様１９記載の光学装置。
【０２２７】
「実施態様２１」
第１の機能選択メニューはアイリス機能選択メニューであり、第１の設定変更メニューはアイリスのゲインを変更するゲイン設定変更メニューである実施態様２１記載の光学装置。
【０２２８】
「実施態様２２」
実施態様１〜２１記載の光学装置に接続されたカメラ装置。
【０２２９】
「実施態様２３」
実施態様１〜２１記載の光学装置と、前記光学装置に接続されたカメラ装置を有する撮影装置。
【０２３０】
【発明の効果】
以上説明したように、レンズの撮影に関わる機能を設定する機能設定手段と、それに用いる表示パネルを光学装置に設け、ＴＶレンズの撮影に関わる各機能の設定情報を複数記憶できる記憶手段を設けることにより、状況を容易かつ瞬時に把握でき、さらに操作性に優れた機能の設定手段を併せ持つ、使い勝手の良い光学装置を提供することができる。
【図面の簡単な説明】
【図１】本実施形態のテレビレンズ構成図
【図２】本実施形態の記憶手段内部構成図
【図３】本実施形態のテレビレンズ外観図
【図４】本実施形態のテレビレンズ外観図
【図５】本実施形態のスイッチ詳細図
【図６】本実施形態の表示動作フロチャート図
【図７】本実施形態の表示パネル詳細図
【図８】本実施形態の表示動作フロチャート図
【図９】本実施形態の表示パネル詳細図
【図１０】本実施形態の表示パネル詳細図
【図１１】本実施形態の表示動作フロチャート図
【図１２】本実施形態の表示パネル詳細図
【図１３】本実施形態の表示パネル詳細図
【図１４】本実施形態の表示動作フロチャート図
【図１５】本実施形態の表示パネル詳細図
【図１６】本実施形態の表示パネル詳細図
【図１７】本実施形態の表示パネル詳細図
【図１８】本実施形態の表示パネル詳細図
【図１９】本実施形態の表示パネル詳細図
【図２０】本実施形態の表示パネル詳細図
【図２１】本実施形態の表示パネル詳細図
【図２２】本実施形態の表示パネル詳細図
【図２３】本実施形態の表示動作フロチャート図
【図２４】本実施形態の表示パネル詳細図
【図２５】本実施形態の表示パネル詳細図
【図２６】本実施形態の表示パネル詳細図
【図２７】本実施形態の表示パネル詳細図
【図２８】本実施形態の表示パネル詳細図
【図２９】本実施形態の表示パネル詳細図
【図３０】本実施形態の表示動作フロチャート図
【図３１】本実施形態の表示パネル詳細図
【図３２】本実施形態の表示パネル詳細図
【図３３】本実施形態の表示パネル詳細図
【図３４】本実施形態の表示パネル詳細図
【図３５】本実施形態の表示パネル詳細図
【図３６】本実施形態の表示動作フロチャート図
【図３７】本実施形態の表示パネル詳細図
【図３８】本実施形態の表示パネル詳細図
【図３９】本実施形態の表示パネル詳細図
【図４０】本実施形態の表示パネル詳細図
【図４１】本実施形態の表示パネル詳細図
【図４２】本実施形態の表示パネル詳細図
【図４３】本実施形態の表示パネル詳細図
【図４４】本実施形態の表示動作フロチャート図
【図４５】本実施形態の表示パネル詳細図
【図４６】本実施形態の表示パネル詳細図
【図４７】本実施形態の表示パネル詳細図
【図４８】本実施形態の表示パネル詳細図
【図４９】本実施形態の表示パネル詳細図
【図５０】本実施形態の表示パネル詳細図
【図５１】本実施形態の表示パネル詳細図
【図５２】本実施形態の表示動作フロチャート図
【図５３】本実施形態の表示パネル詳細図
【図５４】本実施形態の表示パネル詳細図
【図５５】本実施形態の表示パネル詳細図
【図５６】本実施形態の表示パネル詳細図
【図５７】本実施形態の表示パネル詳細図
【図５８】本実施形態の表示動作フロチャート図
【図５９】本実施形態の表示パネル詳細図
【図６０】本実施形態の表示パネル詳細図
【図６１】本実施形態の表示パネル詳細図
【図６２】本実施形態の表示パネル詳細図
【図６３】本実施形態の表示パネル詳細図
【図６４】本実施形態の表示パネル詳細図
【図６５】本実施形態の表示動作フロチャート図
【図６６】本実施形態の表示パネル詳細図
【図６７】本実施形態の表示パネル詳細図
【図６８】本実施形態の表示パネル詳細図
【図６９】本実施形態の表示動作フロチャート図
【図７０】本実施形態の表示パネル詳細図
【図７１】本実施形態の表示パネル詳細図
【図７２】本実施形態の表示パネル詳細図
【図７３】本実施形態の表示パネル詳細図
【図７４】本実施形態の表示パネル詳細図
【図７５】本実施形態の表示動作フロチャート図
【図７６】本実施形態の表示パネル詳細図
【図７７】本実施形態の表示パネル詳細図
【図７８】本実施形態の表示パネル詳細図
【図７９】本実施形態の表示動作フロチャート図
【図８０】本実施形態の表示パネル詳細図
【図８１】本実施形態の表示パネル詳細図
【図８２】本実施形態の表示パネル詳細図
【図８３】本実施形態の表示パネル詳細図
【図８４】本実施形態の表示パネル詳細図
【図８５】本実施形態の表示パネル詳細図
【図８６】本実施形態の表示パネル詳細図
【図８７】本実施形態の表示パネル詳細図
【図８８】本実施形態の表示動作フロチャート図
【図８９】本実施形態の表示パネル詳細図
【図９０】本実施形態の表示パネル詳細図
【図９１】本実施形態の表示パネル詳細図
【図９２】本実施形態の表示動作フロチャート図
【図９３】本実施形態の表示パネル詳細図
【図９４】本実施形態の表示パネル詳細図
【図９５】本実施形態の表示パネル詳細図
【図９６】本実施形態の表示パネル詳細図
【図９７】本実施形態の表示動作フロチャート図
【図９８】本実施形態の表示パネル詳細図
【図９９】本実施形態の表示パネル詳細図
【図１００】本実施形態の表示パネル詳細図
【図１０１】本実施形態の表示動作フロチャート図
【図１０２】本実施形態の表示パネル詳細図
【図１０３】本実施形態の表示動作フロチャート図
【図１０４】本実施形態の表示パネル詳細図
【図１０５】本実施形態の表示パネル詳細図
【図１０６】本実施形態の表示動作フロチャート図
【図１０７】本実施形態の表示パネル詳細図
【図１０８】本実施形態の表示パネル詳細図
【図１０９】本実施形態の表示パネル詳細図
【図１１０】本実施形態の表示パネル詳細図
【図１１１】本実施形態の表示動作フロチャート図
【図１１２】本実施形態の表示パネル詳細図
【図１１３】本実施形態の表示パネル詳細図
【図１１４】本実施形態の表示動作フロチャート図
【図１１５】本実施形態の表示パネル詳細図
【図１１６】本実施形態の表示パネル詳細図
【図１１７】本実施形態の表示パネル詳細図
【図１１８】本実施形態の表示パネル詳細図
【図１１９】本実施形態の表示動作フロチャート図
【図１２０】本実施形態の表示パネル詳細図
【図１２１】本実施形態の表示パネル詳細図
【図１２２】本実施形態の表示パネル詳細図
【図１２３】本実施形態の表示パネル詳細図
【図１２４】本実施形態の表示パネル詳細図
【図１２５】本実施形態の表示パネル詳細図
【図１２６】本実施形態の表示パネル詳細図
【図１２７】本実施形態の表示パネル詳細図
【図１２８】本実施形態の表示パネル詳細図
【図１２９】本実施形態の表示パネル詳細図
【図１３０】本実施形態の表示パネル詳細図
【図１３１】本実施形態の表示パネル詳細図
【図１３２】本実施形態の表示パネル詳細図
【図１３３】本実施形態の表示パネル詳細図
【図１３４】本実施形態の表示パネル詳細図
【符号の説明】
１０１  フォーカスレンズ光学系
１０２  フォーカスモータ
１０３  フォーカス位置検出手段
１０４  フォーカス制御手段
１０５  ズームレンズ光学系
１０６  ズームモータ
１０７  ズーム位置検出手段
１０８  ズーム制御手段
１０９  アイリス羽根
１１０  アイリスモータ
１１１  アイリス位置検出手段
１１２  アイリス制御手段
１１３  エクステンダー光学系
１１４  エクステンダーモータ
１１５  エクステンダー位置検出手段
１１６  エクステンダー制御手段
１１７  ＣＰＵ
１１８  表示パネル
１１９  機能設定スイッチ
１２０  記憶手段
１２１  各種スイッチ通信手段
１２２  レンズ外部データ通信手段
１２３  デマンド通信手段
１２４  テレビカメラ通信手段
３０１  レンズ本体
３０２  ドライブユニット
３０３  シーソースイッチ
３０４  リターンスイッチ
３０５  機能スイッチＡ
３０６  メモリースイッチ
３０７  表示スイッチ
４０１  ＶＴＲスイッチ
４０２  機能スイッチＢ
【図１】
0004181907.tif 000002
【図２】
0004181907.tif 000003
【図３】
0004181907.tif 000004
【図４】
0004181907.tif 000005
【図５】
0004181907.tif 000006
【図６】
0004181907.tif 000007
【図７】
0004181907.tif 000008
【図８】
0004181907.tif 000009
【図９】
0004181907.tif 000010
【図１０】
0004181907.tif 000011
【図１１】
0004181907.tif 000012
【図１２】
0004181907.tif 000013
【図１３】
0004181907.tif 000014
【図１４】
0004181907.tif 000015
【図１５】
0004181907.tif 000016
【図１６】
0004181907.tif 000017
【図１７】
0004181907.tif 000018
【図１８】
0004181907.tif 000019
【図１９】
0004181907.tif 000020
【図２０】
0004181907.tif 000021
【図２１】
0004181907.tif 000022
【図２２】
0004181907.tif 000023
【図２３】
0004181907.tif 000024
【図２４】
0004181907.tif 000025
【図２５】
0004181907.tif 000026
【図２６】
0004181907.tif 000027
【図２７】
0004181907.tif 000028
【図２８】
0004181907.tif 000029
【図２９】
0004181907.tif 000030
【図３０】
0004181907.tif 000031
【図３１】
0004181907.tif 000032
【図３２】
0004181907.tif 000033
【図３３】
0004181907.tif 000034
【図３４】
0004181907.tif 000035
【図３５】
0004181907.tif 000036
【図３６】
0004181907.tif 000037
【図３７】
0004181907.tif 000038
【図３８】
0004181907.tif 000039
【図３９】
0004181907.tif 000040
【図４０】
0004181907.tif 000041
【図４１】
0004181907.tif 000042
【図４２】
0004181907.tif 000043
【図４３】
0004181907.tif 000044
【図４４】
0004181907.tif 000045
【図４５】
0004181907.tif 000046
【図４６】
0004181907.tif 000047
【図４７】
0004181907.tif 000048
【図４８】
0004181907.tif 000049
【図４９】
0004181907.tif 000050
【図５０】
0004181907.tif 000051
【図５１】
0004181907.tif 000052
【図５２】
0004181907.tif 000053
【図５３】
0004181907.tif 000054
【図５４】
0004181907.tif 000055
【図５５】
0004181907.tif 000056
【図５６】
0004181907.tif 000057
【図５７】
0004181907.tif 000058
【図５８】
0004181907.tif 000059
【図５９】
0004181907.tif 000060
【図６０】
0004181907.tif 000061
【図６１】
0004181907.tif 000062
【図６２】
0004181907.tif 000063
【図６３】
0004181907.tif 000064
【図６４】
0004181907.tif 000065
【図６５】
0004181907.tif 000066
【図６６】
0004181907.tif 000067
【図６７】
0004181907.tif 000068
【図６８】
0004181907.tif 000069
【図６９】
0004181907.tif 000070
【図７０】
0004181907.tif 000071
【図７１】
0004181907.tif 000072
【図７２】
0004181907.tif 000073
【図７３】
0004181907.tif 000074
【図７４】
0004181907.tif 000075
【図７５】
0004181907.tif 000076
【図７６】
0004181907.tif 000077
【図７７】
0004181907.tif 000078
【図７８】
0004181907.tif 000079
【図７９】
0004181907.tif 000080
【図８０】
0004181907.tif 000081
【図８１】
0004181907.tif 000082
【図８２】
0004181907.tif 000083
【図８３】
0004181907.tif 000084
【図８４】
0004181907.tif 000085
【図８５】
0004181907.tif 000086
【図８６】
0004181907.tif 000087
【図８７】
0004181907.tif 000088
【図８８】
0004181907.tif 000089
【図８９】
0004181907.tif 000090
【図９０】
0004181907.tif 000091
【図９１】
0004181907.tif 000092
【図９２】
0004181907.tif 000093
【図９３】
0004181907.tif 000094
【図９４】
0004181907.tif 000095
【図９５】
0004181907.tif 000096
【図９６】
0004181907.tif 000097
【図９７】
0004181907.tif 000098
【図９８】
0004181907.tif 000099
【図９９】
0004181907.tif 000100
【図１００】
0004181907.tif 000101
【図１０１】
0004181907.tif 000102
【図１０２】
0004181907.tif 000103
【図１０３】
0004181907.tif 000104
【図１０４】
0004181907.tif 000105
【図１０５】
0004181907.tif 000106
【図１０６】
0004181907.tif 000107
【図１０７】
0004181907.tif 000108
【図１０８】
0004181907.tif 000109
【図１０９】
0004181907.tif 000110
【図１１０】
0004181907.tif 000111
【図１１１】
0004181907.tif 000112
【図１１２】
0004181907.tif 000113
【図１１３】
0004181907.tif 000114
【図１１４】
0004181907.tif 000115
【図１１５】
0004181907.tif 000116
【図１１６】
0004181907.tif 000117
【図１１７】
0004181907.tif 000118
【図１１８】
0004181907.tif 000119
【図１１９】
0004181907.tif 000120
【図１２０】
0004181907.tif 000121
【図１２１】
0004181907.tif 000122
【図１２２】
0004181907.tif 000123
【図１２３】
0004181907.tif 000124
【図１２４】
0004181907.tif 000125
【図１２５】
0004181907.tif 000126
【図１２６】
0004181907.tif 000127
【図１２７】
0004181907.tif 000128
【図１２８】
0004181907.tif 000129
【図１２９】
0004181907.tif 000130
【図１３０】
0004181907.tif 000131
【図１３１】
0004181907.tif 000132
【図１３２】
0004181907.tif 000133
【図１３３】
0004181907.tif 000134
【図１３４】
0004181907.tif 000135